(57)【要約】【課題】  室内の顕熱負荷と潜熱負荷の両方を処理可能で、しかも設置場所の確保が容易な空気調和装置を提供する。【解決手段】  室外ユニット（11）と、室内ユニット（12）と、調湿ユニット（13）とによって空気調和装置（10）を構成する。室内ユニット（12）は、温度調節した空気を室内へ供給する。調湿ユニット（13）は、湿度調節した空気を室内へ供給する。室外ユニット（11）には、圧縮機（21）等を備える室外回路（20）が配置される。室内ユニット（12）には、室内熱交換器（36）を備える室内回路（35）が配置される。調湿ユニット（13）には、２つの吸着熱交換器（31,32）等を備える調湿回路（30）が配置される。上記空気調和装置（10）では、室内回路（35）と調湿回路（30）を１つの室外回路（20）に接続することで冷媒回路（15）が形成される。【選択図】  図１
2005283064.tif 000002
【特許請求の範囲】
【請求項１】
圧縮機（21）及び熱源側熱交換器（22）が設けられた熱源ユニット（11）と、利用側熱交換器（36）が設けられた温調ユニット（12）とを備え、
上記熱源ユニット（11）と温調ユニット（12）を接続して構成された冷媒回路（15）で冷媒を循環させて冷凍サイクルを行い、上記利用側熱交換器（36）で冷媒と熱交換した空気を室内へ供給する空気調和装置であって、
上記冷媒回路（15）には、水蒸気を吸脱着する吸着材を備えた調湿ユニット（13）が接続され、
上記調湿ユニット（13）は、冷媒回路（15）の冷媒によって吸着材の加熱と冷却の少なくとも一方を行い、該吸着材と接触することで調湿された空気を室内へ供給する空気調和装置。
【請求項２】
請求項１に記載の空気調和装置において、
調湿ユニット（13）は、吸着材を担持すると共に冷媒回路（15）に接続される吸着熱交換器（31,32）を備え、取り込んだ空気を上記吸着熱交換器（31,32）へ送って吸着材と接触させる空気調和装置。
【請求項３】
請求項２に記載の空気調和装置において、
調湿ユニット（13）は、
第１空気と第２空気とを取り込んで、第１の吸着熱交換器（31）に第１空気中の水蒸気を吸着させて第２の吸着熱交換器（32）から脱離させた水蒸気を第２空気に付与する動作と、第２の吸着熱交換器（32）に第１空気中の水蒸気を吸着させて第１の吸着熱交換器（31）から脱離させた水蒸気を第２空気に付与する動作とを交互に行い、
上記吸着熱交換器（31,32）で除湿された第１空気と加湿された第２空気の何れか一方を室内へ供給して他方を室外へ排出する空気調和装置。
【請求項４】
請求項３に記載の空気調和装置において、
調湿ユニット（13）は、第１及び第２の吸着熱交換器（31,32）のうち第１空気を除湿する方が蒸発器となって第２空気を加湿する方が凝縮器となるように冷媒の流通方向が切換可能となっている空気調和装置。
【請求項５】
請求項１に記載の空気調和装置において、
調湿ユニット（13）は、
多数の空気通路（85）が形成されて該空気通路（85）を流れる空気と吸着材を接触させる吸着素子（181,182）と、冷媒回路（15）に接続されて凝縮器となる再生用熱交換器（172）とを備え、
第１空気と第２空気とを取り込んで、第１空気を上記吸着素子（181,182）へ供給して該吸着素子（181,182）に第１空気中の水蒸気を吸着させる動作と、上記再生用熱交換器（172）で加熱された第２空気を上記吸着素子（181,182）へ供給して該吸着素子（181,182）から水分を脱離させる動作とを行い、
上記吸着素子（181,182）で除湿された第１空気と加湿された第２空気の何れか一方を室内へ供給して他方を室外へ排出する空気調和装置。
【請求項６】
請求項１に記載の空気調和装置において、
冷媒回路（15）には、温調ユニット（12）の利用側熱交換器（36）が蒸発器となる冷房運転と該利用側熱交換器（36）が凝縮器となる暖房運転とを切換可能とするための四方切換弁（24）が設けられる一方、
調湿ユニット（13）は、上記冷媒回路（15）における圧縮機（21）と上記四方切換弁（24）の間に接続されている空気調和装置。
【請求項７】
請求項１に記載の空気調和装置において、
温調ユニット（12）では、利用側熱交換器（36）が蒸発器となる冷房運転と該利用側熱交換器（36）が凝縮器となる暖房運転とが切換可能となる一方、
調湿ユニット（13）では、上記温調ユニット（12）で冷房運転と暖房運転のどちらが行われている状態でも、吸着材に水蒸気を奪われて除湿された空気を室内へ供給する除湿運転と吸着材から脱離した水蒸気を付与されて加湿された空気を室内へ供給する加湿運転とが切換可能となっている空気調和装置。
【請求項８】
請求項１に記載の空気調和装置において、
調湿ユニット（13）は、室外空気と室内空気とを取り込み、取り込んだ室外空気を吸着材との接触により調湿してから室内へ供給すると共に取り込んだ室内空気を室外へ排出する運転が可能となっている空気調和装置。
【請求項９】
請求項７に記載の空気調和装置において、
調湿ユニット（13）は、室内へ供給される室外空気の流量と室外へ排出される室内空気の流量とを異なる値に設定可能となっている空気調和装置。
【請求項１０】
請求項７に記載の空気調和装置において、
調湿ユニット（13）は、冷媒回路（15）を循環する冷媒の流入を遮断した状態で室外空気を室内へ供給して室内空気を室外へ排出する運転が可能となっている空気調和装置。
【請求項１１】
請求項１に記載の空気調和装置において、
調湿ユニット（13）は、室内空気を取り込み、取り込んだ室内空気を吸着材との接触により調湿してから室内へ供給する運転が可能となっている空気調和装置。
【請求項１２】
請求項１に記載の空気調和装置において、
調湿ユニット（13）は、室外空気だけを取り込み、取り込んだ室外空気の一部を吸着材との接触により除湿して残りを吸着材から脱離した水蒸気により加湿し、除湿された室外空気と加湿された室外空気の一方を室内へ供給して他方を室外へ排出する運転が可能となっている空気調和装置。
【請求項１３】
請求項１に記載の空気調和装置において、
調湿ユニット（13）は、室内空気だけを取り込み、取り込んだ室内空気の一部を吸着材との接触により除湿して残りを吸着材から脱離した水蒸気により加湿し、除湿された室内空気と加湿された室内空気の一方を室内へ供給して他方を室外へ排出する運転が可能となっている空気調和装置。
【請求項１４】
請求項１に記載の空気調和装置において、
調湿ユニット（13）は、吸着材による空気の調湿を停止して冷媒回路（15）の冷媒により加熱され又は冷却された空気を室内へ供給する運転が可能となっている空気調和装置。
【請求項１５】
請求項１に記載の空気調和装置において、
温調ユニット（12）と調湿ユニット（13）の一方を動作させて他方を停止させる運転が可能となっている空気調和装置。
【発明の詳細な説明】
【技術分野】
【０００１】
本発明は、室内の顕熱負荷と潜熱負荷を処理する空気調和装置に関するものである。
【背景技術】
【０００２】
従来より、特許文献１に開示されているように、室内の冷房と除湿を行う空気調和装置が知られている。この空気調和装置は、熱源側の室外熱交換器と利用側の室内熱交換器とが設けられた冷媒回路を備え、冷媒回路で冷媒を循環させて冷凍サイクルを行う。そして、上記空気調和装置は、室内熱交換器における冷媒蒸発温度を室内空気の露点温度よりも低く設定し、室内空気中の水分を凝縮させることで室内の除湿を行っている。
【０００３】
一方、特許文献２に開示されているように、吸着材を用いて空気の湿度調節を行う調湿装置が知られている。この調湿装置は、吸着材を担持した吸着素子を備えており、吸着素子に空気中の水蒸気を吸着させて空気を除湿する。また、この調湿装置は、冷凍サイクルを行う冷媒回路を備えており、冷媒回路の凝縮器で加熱された空気によって吸着素子を加熱し、吸着素子から脱離した水蒸気で空気を加湿する。そして、上記調湿装置は、除湿された空気と加湿された空気の一方を室内へ供給して他方を室外へ排出する。
【特許文献１】国際公開第０３／０２９７２８号パンフレット
【特許文献２】特開２００３−２３２５３９号公報
【発明の開示】
【発明が解決しようとする課題】
【０００４】
上述のように、特許文献１に記載の空気調和装置では、室内熱交換器で空気を冷却し、空気中の水分を凝縮させることで室内の潜熱負荷を処理している。このため、この空気調和装置では、室内を除湿することはできても加湿することはできず、充分な快適性を得られないおそれがある。一方、特許文献２に記載の調湿装置では、室内の除湿と加湿の両方が可能である。従って、これらの空気調和装置と調湿装置の２つを用いれば、室内の顕熱負荷と潜熱負荷とを確実に処理して快適性の向上を図ることが可能である。
【０００５】
しかしながら、空気調和装置と調湿装置の両方を設けると、個別に冷凍サイクルを行う機器が複数設けられることになる。このため、それぞれが圧縮機を有していて比較的大きな装置を複数設置しればならず、設置場所の確保が困難になるおそれがある。
【０００６】
本発明は、かかる点に鑑みてなされたものであり、その目的とするところは、室内の顕熱負荷と潜熱負荷の両方を処理可能で、しかも設置場所の確保が容易な空気調和装置を提供することにある。
【課題を解決するための手段】
【０００７】
第１の発明は、圧縮機（21）及び熱源側熱交換器（22）が設けられた熱源ユニット（11）と、利用側熱交換器（36）が設けられた温調ユニット（12）とを備え、上記熱源ユニット（11）と温調ユニット（12）を接続して構成された冷媒回路（15）で冷媒を循環させて冷凍サイクルを行い、上記利用側熱交換器（36）で冷媒と熱交換した空気を室内へ供給する空気調和装置を対象とする。そして、上記冷媒回路（15）には、水蒸気を吸脱着する吸着材を備えた調湿ユニット（13）が接続され、上記調湿ユニット（13）は、冷媒回路（15）の冷媒によって吸着材の加熱と冷却の少なくとも一方を行い、該吸着材と接触することで調湿された空気を室内へ供給するものである。
【０００８】
第２の発明は、上記第１の発明において、調湿ユニット（13）は、吸着材を担持すると共に冷媒回路（15）に接続される吸着熱交換器（31,32）を備え、取り込んだ空気を上記吸着熱交換器（31,32）へ送って吸着材と接触させるものである。
【０００９】
第３の発明は、上記第２の発明において、調湿ユニット（13）は、第１空気と第２空気とを取り込み、第１の吸着熱交換器（31）に第１空気中の水蒸気を吸着させて第２の吸着熱交換器（32）から脱離させた水蒸気を第２空気に付与する動作と、第２の吸着熱交換器（32）に第１空気中の水蒸気を吸着させて第１の吸着熱交換器（31）から脱離させた水蒸気を第２空気に付与する動作とを交互に行い、上記吸着熱交換器（31,32）で除湿された第１空気と加湿された第２空気の何れか一方を室内へ供給して他方を室外へ排出するものである。
【００１０】
第４の発明は、上記第３の発明において、調湿ユニット（13）は、第１及び第２の吸着熱交換器（31,32）のうち第１空気を除湿する方が蒸発器となって第２空気を加湿する方が凝縮器となるように冷媒の流通方向が切換可能となっているものである。
【００１１】
第５の発明は、上記第１の発明において、調湿ユニット（13）は、多数の空気通路（85）が形成されて該空気通路（85）を流れる空気と吸着材を接触させる吸着素子（181,182）と、冷媒回路（15）に接続されて凝縮器となる再生用熱交換器（172）とを備え、第１空気と第２空気とを取り込み、第１空気を上記吸着素子（181,182）へ供給して該吸着素子（181,182）に第１空気中の水蒸気を吸着させる動作と、上記再生用熱交換器（172）で加熱された第２空気を上記吸着素子（181,182）へ供給して該吸着素子（181,182）から水分を脱離させる動作とを行い、上記吸着素子（181,182）で除湿された第１空気と加湿された第２空気の何れか一方を室内へ供給して他方を室外へ排出するものである。
【００１２】
第６の発明は、上記第１の発明において、冷媒回路（15）には、温調ユニット（12）の利用側熱交換器（36）が蒸発器となる冷房運転と該利用側熱交換器（36）が凝縮器となる暖房運転とを切換可能とするための四方切換弁（24）が設けられる一方、調湿ユニット（13）は、上記冷媒回路（15）における圧縮機（21）と上記四方切換弁（24）の間に接続されるものである。
【００１３】
第７の発明は、上記第１の発明において、温調ユニット（12）では、利用側熱交換器（36）が蒸発器となる冷房運転と該利用側熱交換器（36）が凝縮器となる暖房運転とが切換可能となる一方、調湿ユニット（13）では、上記温調ユニット（12）で冷房運転と暖房運転のどちらが行われている状態でも、吸着材に水蒸気を奪われて除湿された空気を室内へ供給する除湿運転と吸着材から脱離した水蒸気を付与されて加湿された空気を室内へ供給する加湿運転とが切換可能となっているものである。
【００１４】
第８の発明は、上記第１の発明において、調湿ユニット（13）は、室外空気と室内空気とを取り込み、取り込んだ室外空気を吸着材との接触により調湿してから室内へ供給すると共に取り込んだ室内空気を室外へ排出する運転が可能となっているものである。
【００１５】
第９の発明は、上記第７の発明において、調湿ユニット（13）は、室内へ供給される室外空気の流量と室外へ排出される室内空気の流量とを異なる値に設定可能となっているものである。
【００１６】
第１０の発明は、上記第７の発明において、調湿ユニット（13）は、冷媒回路（15）を循環する冷媒の流入を遮断した状態で室外空気を室内へ供給して室内空気を室外へ排出する運転が可能となっているものである。
【００１７】
第１１の発明は、上記第１の発明において、調湿ユニット（13）は、室内空気を取り込み、取り込んだ室内空気を吸着材との接触により調湿してから室内へ供給する運転が可能となっているものである。
【００１８】
第１２の発明は、上記第１の発明において、調湿ユニット（13）は、室外空気だけを取り込み、取り込んだ室外空気の一部を吸着材との接触により除湿して残りを吸着材から脱離した水蒸気により加湿し、除湿された室外空気と加湿された室外空気の一方を室内へ供給して他方を室外へ排出する運転が可能となっているものである。
【００１９】
第１３の発明は、上記第１の発明において、調湿ユニット（13）は、室内空気だけを取り込み、取り込んだ室内空気の一部を吸着材との接触により除湿して残りを吸着材から脱離した水蒸気により加湿し、除湿された室内空気と加湿された室内空気の一方を室内へ供給して他方を室外へ排出する運転が可能となっているものである。
【００２０】
第１４の発明は、上記第１の発明において、調湿ユニット（13）は、吸着材による空気の調湿を停止して冷媒回路（15）の冷媒により加熱され又は冷却された空気を室内へ供給する運転が可能となっているものである。
【００２１】
第１５の発明は、上記第１の発明において、温調ユニット（12）と調湿ユニット（13）の一方を動作させて他方を停止させる運転が可能となっているものである。
【００２２】
−作用−
上記第１の発明では、熱源ユニット（11）と温調ユニット（12）とを接続して冷媒回路（15）が構成される。圧縮機（21）を運転すると、冷媒回路（15）内で冷媒が循環し、熱源側熱交換器（22）と利用側熱交換器（36）の一方が蒸発器となり他方が凝縮器となって冷凍サイクルが行われる。温調ユニット（12）は、利用側熱交換器（36）で冷却され又は加熱された空気を室内へ供給し、主に室内の顕熱負荷を処理する。
【００２３】
この発明において、冷媒回路（15）には、調湿ユニット（13）が接続される。調湿ユニット（13）は、吸着材を備えており、冷媒回路（15）内を流れる冷媒を利用して吸着材の加熱と冷却の何れか一方又は両方を行う。調湿ユニット（13）では、空気と吸着材が接触し、両者の間で水蒸気の授受が行われて空気の湿度調節が行われる。その際、吸着材を加熱すると吸着材からの水蒸気の脱離が促進され、吸着材を冷却すると吸着材への水蒸気の吸着が促進される。そして、調湿ユニット（13）は、吸着材との接触により調湿された空気を室内へ供給し、主に室内の潜熱負荷を処理する。
【００２４】
上記第２の発明では、調湿ユニット（13）に吸着熱交換器（31,32）が設けられる。吸着熱交換器（31,32）には吸着材が担持されており、この吸着材が吸着熱交換器（31,32）を通過する空気と接触する。吸着熱交換器（31,32）は、冷媒回路（15）に接続されている。吸着熱交換器（31,32）が凝縮器となる状態では、吸着熱交換器（31,32）に担持された吸着材が冷媒回路（15）の冷媒によって加熱される。吸着熱交換器（31,32）が蒸発器となる状態では、吸着熱交換器（31,32）に担持された吸着材が冷媒回路（15）の冷媒によって冷却される。
【００２５】
上記第３の発明では、冷媒回路（15）に吸着熱交換器（31,32）が複数設けられ、調湿ユニット（13）が２つの動作を交互に繰り返す。調湿ユニット（13）の一方の動作では、第１の吸着熱交換器（31）で第１空気が除湿され、第２の吸着熱交換器（32）で第２空気が加湿される。調湿ユニット（13）の他方の動作では、第２の吸着熱交換器（32）で第１空気が除湿され、第１の吸着熱交換器（31）で第２空気が加湿される。つまり、調湿ユニット（13）では、各吸着熱交換器（31,32）において第１空気の除湿と第２空気の加湿とが交互に行われる。そして、調湿ユニット（13）は、吸着熱交換器（31,32）を通過した第１空気と第２空気の一方を室内へ供給して他方を室外へ排出する。
【００２６】
上記第４の発明では、第１の吸着熱交換器（31）から第２の吸着熱交換器（32）へ冷媒を流す状態と、第２の吸着熱交換器（32）から第１の吸着熱交換器（31）へ冷媒を流す状態とが切換可能となっている。２つの動作を交互に行う調湿ユニット（13）において、一方の動作中は第１空気を除湿する第１の吸着熱交換器（31）が蒸発器となって第２空気を加湿する第２の吸着熱交換器（32）が凝縮器となり、他方の動作中は第１空気を除湿する第２の吸着熱交換器（32）が蒸発器となって第２空気を加湿する第１の吸着熱交換器（31）が凝縮器となる。
【００２７】
上記第５の発明では、吸着素子（181,182）と再生用熱交換器（172）とが調湿ユニット（13）に設けられる。調湿ユニット（13）は、第１空気と第２空気とを取り込んで二つの動作を行う。具体的に、調湿ユニット（13）は、第１空気を吸着素子（181,182）の空気通路（85）へ送り込んで該第１空気を除湿する動作と、再生用熱交換器（172）で加熱された第２空気を吸着素子（181,182）の空気通路（85）へ送り込んで該第２空気を加湿する動作とを行う。そして、調湿ユニット（13）は、吸着素子（181,182）で除湿された第１空気と加湿された第２空気のうちの一方を室内へ供給して他方を室外へ排出する。
【００２８】
上記第６の発明では、冷媒回路（15）に四方切換弁（24）が設けられる。この四方切換弁（24）は、圧縮機（21）から吐出された冷媒と圧縮機（21）の吸入側へ向かう冷媒の流通経路を変更し、それによって温調ユニット（12）の冷房運転と暖房運転を切り換える。冷媒回路（15）では、圧縮機（21）と四方切換弁（24）の間に調湿ユニット（13）が接続される。この冷媒回路（15）において、圧縮機（21）の吐出側から調湿ユニット（13）へ向かう冷媒の流通経路と、調湿ユニット（13）から圧縮機（21）の吸入側へ向かう冷媒の流通経路とは、四方切換弁（24）の状態に関係なく一定方向に保たれる。
【００２９】
上記第７の発明では、温調ユニット（12）において冷房運転と暖房運転が切換可能となる。冷房運転中には利用側熱交換器（36）で冷却された空気が室内へ供給され、暖房運転中には利用側熱交換器（36）で加熱された空気が室内へ供給される。また、調湿ユニット（13）では、除湿運転と加湿運転が切換可能となる。除湿運転中には吸着材に水蒸気を奪われた空気が室内へ供給され、加湿運転中には吸着材から脱離した水蒸気を付与された空気が室内へ供給される。温調ユニット（12）が冷房運転中であるか暖房運転中であるかとは関係なく、調湿ユニット（13）は除湿運転を行うことも加湿運転を行うことも可能である。
【００３０】
上記第８の発明において、調湿ユニット（13）は、取り込んだ室外空気を除湿し又は加湿してから室内へ供給すると共に、取り込んだ室内空気を室外へ排出する運転を行う。つまり、この運転では、調湿された室外空気が室内へ供給されると同時に、室内の換気が行われる。
【００３１】
上記第９の発明において、調湿ユニット（13）は、室内へ向かう室外空気の流量と室外へ向かう室内空気の流量とを異なる値に設定可能となっている。単位時間当たりの室内への給気量を室外への排気量よりも大きく設定すると、室内の気圧が室外の気圧よりも多少高くなる。逆に、単位時間当たりの室内への給気量を室外への排気量よりも小さく設定すると、室内の気圧が室外の気圧よりも多少低くなる。
【００３２】
上記第１０の発明において、調湿ユニット（13）では、冷媒回路（15）を循環する冷媒の流入を遮断した状態で室外から室内への給気と室内から室外への排気とを行う運転が可能となっている。その際、調湿ユニット（13）では冷媒回路（15）の冷媒による吸着材の加熱又は冷却が行われず、調湿ユニット（13）から室内へ供給される空気の調湿も行われない。つまり、この運転中は、調湿ユニット（13）が換気のみを行うことになる。
【００３３】
上記第１１の発明において、調湿ユニット（13）では、取り込んだ室内空気を除湿し又は加湿してから室内へ供給する運転が可能となっている。つまり、この運転中において、調湿ユニット（13）へ取り込まれた室内空気は、調湿された後に室内へ送り返される。
【００３４】
上記第１２の発明において、調湿ユニット（13）は、室外空気だけを取り込み、取り込んだ室外空気の一部を除湿して残りを加湿する運転が可能となっている。この運転中の調湿ユニット（13）は、除湿された一部の室外空気と加湿された残りの室外空気のうち一方を室内へ供給して他方を室外へ排出する。つまり、この運転中において、調湿ユニット（13）は、調湿した室外空気を室内へ供給するが、室内から室外への排気は行わない。
【００３５】
上記第１３の発明において、調湿ユニット（13）は、室内空気だけを取り込み、取り込んだ室内空気の一部を除湿して残りを加湿する運転が可能となっている。この運転中の調湿ユニット（13）は、除湿された一部の室内空気と加湿された残りの室内空気のうち一方を室内へ供給して他方を室外へ排出する。つまり、この運転中において、調湿ユニット（13）は、調湿した室内空気を室内へ供給するが、室外から室内への給気は行わない。
【００３６】
上記第１４の発明において、調湿ユニット（13）は、取り込んだ空気の調湿は行わず、取り込んだ空気を冷媒回路（15）の冷媒で加熱し又は冷却して室内へ供給する運転が可能となっている。つまり、この発明の空気調和装置（10）では、温調ユニット（12）だけでなく、調湿ユニット（13）においても、主として顕熱負荷を処理する運転が可能となっている。
【００３７】
上記第１５の発明では、空気調和装置（10）において、温調ユニット（12）と調湿ユニット（13）の一方だけを動作させて他方を停止させる運転が可能となる。
【発明の効果】
【００３８】
本発明では、熱源ユニット（11）と温調ユニット（12）を接続して構成された冷媒回路（15）に調湿ユニット（13）を接続している。そして、上記調湿ユニット（13）は、従来の調湿装置のようにそれ自身が圧縮機（21）を備えていなくても、熱源ユニット（11）の圧縮機（21）から供給された冷媒を利用して空気の湿度調節を行うことが可能である。このように、本発明によれば、主に顕熱負荷を処理する温調ユニット（12）と主に潜熱負荷を処理する調湿ユニット（13）とが熱源ユニット（11）の圧縮機（21）を共用することとなり、温調ユニット（12）だけでなく調湿ユニット（13）をも小型化できる。従って、温調ユニット（12）によって顕熱負荷を、調湿ユニット（13）によって潜熱負荷をそれぞれ確実に処理して快適性を確保でき、しかも屋内側に設置されることの多い温調ユニット（12）と調湿ユニット（13）の両方が小型に形成されていて設置自由度の高い空気調和装置（10）を実現できる。
【００３９】
上記第２の発明によれば、冷媒回路（15）に接続された吸着熱交換器（31,32）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（13）の能力向上あるいは調湿ユニット（13）の小型化を図ることができる。
【００４０】
上記第３の発明において、調湿ユニット（13）は、冷媒回路（15）に接続された第１及び第２の吸着熱交換器（31,32）の一方が水蒸気を吸着する間に他方が再生されるバッチ式の動作を行うようにしている。従って、この発明によれば、調湿ユニット（13）で除湿された第１空気と加湿された第２空気とを連続的に生成し、得られた第１空気又は第２空気を継続して室内へ供給することが可能となる。
【００４１】
上記第４の発明では、第１及び第２の吸着熱交換器（31,32）のうち第１空気を除湿する方が蒸発器となって第２空気を加湿する方が凝縮器となる。このため、蒸発器となっている吸着熱交換器（31,32）では、冷媒回路（15）の冷媒によって吸着材が冷却され、吸着材に対する空気中の水蒸気の吸着が促進される。また、凝縮器となっている吸着熱交換器（31,32）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（13）の能力向上あるいは調湿ユニット（13）の小型化を図ることができる。
【００４２】
上記第６の発明では、冷媒回路（15）における圧縮機（21）と四方切換弁（24）の間に調湿ユニット（13）が接続されており、熱源ユニット（11）と調湿ユニット（13）の間を行き来する冷媒の流通方向は四方切換弁（24）の状態に拘わらず一定となる。従って、この発明によれば、調湿ユニット（13）の運転制御において四方切換弁（24）の状態を考慮する必要が無くなり、調湿ユニット（13）の運転制御を簡素化できる。
【００４３】
上記第７の発明では、温調ユニット（12）の冷房運転中に調湿ユニット（13）は除湿運転と加湿運転のどちらでも行うこともでき、温調ユニット（12）の暖房運転中にも調湿ユニット（13）は除湿運転と加湿運転のどちらでも行うこともできる。従って、室内の空調負荷に応じて温調ユニット（12）と調湿ユニット（13）の運転を適切に設定でき、室内の快適性を確実に得ることができる。
【００４４】
上記第８から第１４までの各発明では、調湿ユニット（13）において様々な運転が可能となる。また、上記第１５の発明では、空気調和装置（10）において温調ユニット（12）と調湿ユニット（13）の一方だけを動作させる運転が可能となる。従って、これらの発明によれば、空気調和装置（10）の使用状況に応じた適切な運転が可能となり、空気調和装置（10）の使い勝手を向上させることができる。
【発明を実施するための最良の形態】
【００４５】
以下、本発明の実施形態を図面に基づいて詳細に説明する。
【００４６】
《発明の実施形態１》
本発明の実施形態１について説明する。本実施形態は、温度調節した空気と湿度調節した空気を室内へ供給する空気調和装置（10）である。
【００４７】
〈空気調和装置の全体構成〉
図１，図２に示すように、上記空気調和装置（10）は、熱源ユニットである室外ユニット（11）と、温調ユニットである室内ユニット（12）と、調湿ユニット（13）とを備えている。また、この空気調和装置（10）では、１台の室外ユニット（11）に対して室内ユニット（12）と調湿ユニット（13）を１台ずつ接続することで冷媒回路（15）が形成されている。尚、室外ユニット（11）に接続される室内ユニット（12）と調湿ユニット（13）の台数は、必ずしも１台ずつである必要はない。
【００４８】
上記室外ユニット（11）には、室外回路（20）が収納されている。室外回路（20）には、圧縮機（21）と、室外側電動膨張弁（23）と、室外側四方切換弁（24）と、熱源側熱交換器である室外熱交換器（22）と、４つの閉鎖弁（25〜28）とが設けられている。また、室外ユニット（11）には、図示しないが、室外ファンが設けられている。この室外ファンは、室外熱交換器（22）へ室外空気を供給する。
【００４９】
上記室外回路（20）において、圧縮機（21）は、その吐出側が室外側四方切換弁（24）の第１のポートに、その吸入側が室外側四方切換弁（24）の第２のポートにそれぞれ接続されている。室外側四方切換弁（24）の第４のポートは、第２閉鎖弁（26）に接続されている。室外熱交換器（22）は、その一端が室外側四方切換弁（24）の第３のポートに、他端が室外側電動膨張弁（23）を介して第１閉鎖弁（25）にそれぞれ接続されている。第３閉鎖弁（27）は、圧縮機（21）の吐出側と室外側四方切換弁（24）の間に接続されている。第４閉鎖弁（28）は、圧縮機（21）の吸入側と室外側四方切換弁（24）の間に接続されている。
【００５０】
上記室外側四方切換弁（24）は、第１のポートと第３のポートが互いに連通して第２のポートと第４のポートが互いに連通する第１状態（図１に示す状態）と、第１のポートと第４のポートが互いに連通して第２のポートと第３ポートが互いに連通する第２状態（図２に示す状態）とに切り換わる。
【００５１】
上記室内ユニット（12）には、室内回路（35）が収納されている。室内回路（35）には、利用側熱交換器である室内熱交換器（36）が１つ設けられている。この室内回路（35）は、その一端が室外回路（20）の第１閉鎖弁（25）に、その他端が室外回路（20）の第２閉鎖弁（26）にそれぞれ接続されている。また、室内ユニット（12）には、図示しないが、室内ファンが設けられている。この室内ファンは、室内熱交換器（36）へ室内空気を供給する。
【００５２】
上記調湿ユニット（13）には、調湿回路（30）が収納されている。調湿回路（30）には、調湿側電動膨張弁（33）と、調湿側四方切換弁（34）と、２つの吸着熱交換器（31,32）とが設けられている。尚、調湿ユニット（13）の詳細については後述する。
【００５３】
上記調湿回路（30）では、調湿側四方切換弁（34）の第３のポートから第４のポートへ向かって順に、第１吸着熱交換器（31）と調湿側電動膨張弁（33）と第２吸着熱交換器（32）とが配置されている。調湿側四方切換弁（34）は、その第１ポートが室外回路（20）の第３閉鎖弁（27）に、その第２ポートが室外回路（20）の第４閉鎖弁（28）にそれぞれ接続されている。
【００５４】
上記調湿側四方切換弁（34）は、第１のポートと第３のポートが互いに連通して第２のポートと第４のポートが互いに連通する第１状態（図１(Ａ)及び図２(Ａ)に示す状態）と、第１のポートと第４のポートが互いに連通して第２のポートと第３ポートが互いに連通する第２状態（図１(Ｂ)及び図２(Ｂ)に示す状態）とに切り換わる。
【００５５】
室外熱交換器（22）、室内熱交換器（36）、及び吸着熱交換器（31,32）は、何れも伝熱管と多数のフィンとで構成されたクロスフィン形のフィン・アンド・チューブ熱交換器である。このうち、吸着熱交換器（31,32）では、そのフィンの表面に吸着材が担持されている。この吸着材としては、ゼオライトやシリカゲル等が用いられる。
【００５６】
〈調湿ユニットの構成〉
上記調湿ユニット（13）について、図３，図４を参照しながら説明する。尚、ここでの説明で用いる「上」「下」「左」「右」「前」「後」「手前」「奥」は、何れも上記調湿ユニット（13）を前面側から見た場合のものを意味している。
【００５７】
上記調湿ユニット（13）は、ケーシング（50）を備えている。このケーシング（50）内に上記調湿回路（30）が収納されている。
【００５８】
上記ケーシング（50）は、高さの低い扁平な直方体状に形成されている。ケーシング（50）の前面では、右寄りの位置に排気口（54）が、左寄りの位置に給気口（52）がそれぞれ開口している。ケーシング（50）の背面では、右寄りの位置に外気吸込口（51）が、左寄りの位置に内気吸込口（53）がそれぞれ開口している。
【００５９】
ケーシング（50）の内部空間は、前面側と背面側の２つに仕切られている。ケーシング（50）内の前面側の空間は、更に左右に仕切られている。そのうち、右側の空間は排気側流路（65）を構成し、左側の空間は給気側流路（66）を構成している。排気側流路（65）は、内部に排気ファン（81）が収納されると共に、排気口（54）を介して室外に連通している。給気側流路（66）は、内部に給気ファン（82）が収納されると共に、給気口（52）を介して室内に連通している。
【００６０】
ケーシング（50）内の背面側の空間は、左右に３つに仕切られている。そのうち、右側の空間は、上下に仕切られており、上側の空間が右上流路（61）を、下側の空間が右下流路（62）をそれぞれ構成している。右上流路（61）は、排気側流路（65）に連通している。右下流路（62）は、外気吸込口（51）を介して室外に連通している。右上流路（61）及び右下流路（62）は、室外に連通する室外側流路を構成している。一方、左側の空間は、上下に仕切られており、上側の空間が左上流路（63）を、下側の空間が左下流路（64）をそれぞれ構成している。左上流路（63）は、給気側流路（66）に連通している。左下流路（64）は、内気吸込口（53）を介して室内に連通している。左上流路（63）及び左下流路（64）は、室内に連通する室内側流路を構成している。
【００６１】
左右に仕切られたケーシング（50）内の背面側の空間のうち、中央の空間は、前後に仕切られている。この前後に仕切られた中央の空間のうち、前面側の空間には第１吸着熱交換器（31）が、背面側の空間には第２吸着熱交換器（32）がそれぞれ収納されている。第１吸着熱交換器（31）及び第２吸着熱交換器（32）は、収納された空間を上下に仕切るように、ほぼ水平姿勢で設置されている。
【００６２】
ケーシング（50）内の背面側を左右に仕切る２枚の仕切板には、それぞれに開閉式のダンパ（71〜78）が４つずつ設けられている。
【００６３】
右側の仕切板において、その上部には第１右上ダンパ（71）と第２右上ダンパ（72）が並んで設置され、その下部には第１右下ダンパ（73）と第２右下ダンパ（74）が並んで設置される。第１右上ダンパ（71）は、第１吸着熱交換器（31）の上側の空間と右上流路（61）の間を断続する。第２右上ダンパ（72）は、第２吸着熱交換器（32）の上側の空間と右上流路（61）の間を断続する。第１右下ダンパ（73）は、第１吸着熱交換器（31）の下側の空間と右下流路（62）の間を断続する。第２右下ダンパ（74）は、第２吸着熱交換器（32）の下側の空間と右下流路（62）の間を断続する。
【００６４】
左側の仕切板において、その上部には第１左上ダンパ（75）と第２左上ダンパ（76）が並んで設置され、その下部には第１左下ダンパ（77）と第２左下ダンパ（78）が並んで設置される。第１左上ダンパ（75）を開くと左上流路（63）が第１吸着熱交換器（31）の上側の空間と連通し、第２左上ダンパ（76）を開くと左上流路（63）が第２吸着熱交換器（32）の上側の空間と連通する。第１左下ダンパ（77）を開くと左下流路（64）が第１吸着熱交換器（31）の下側の空間と連通し、第２左下ダンパ（78）を開くと左下流路（64）が第２吸着熱交換器（32）の下側の空間と連通する。
【００６５】
−運転動作−
上記空気調和装置（10）は、冷房除湿運転と暖房加湿運転とを行うことができる。空気調和装置（10）の冷房除湿運転中には、室内ユニット（12）が冷房運転を行い、調湿ユニット（13）が除湿運転を行う。一方、空気調和装置（10）の暖房加湿運転中には、室内ユニット（12）が暖房運転を行い、調湿ユニット（13）が加湿運転を行う。
【００６６】
〈冷房除湿運転〉
図１に示すように、冷房除湿運転中には、室外側四方切換弁（24）が第１状態に設定されると共に室外側電動膨張弁（23）の開度が適宜調節される。この状態において、冷媒回路（15）では、室外熱交換器（22）が凝縮器となって室内熱交換器（36）が蒸発器となる。つまり、圧縮機（21）から吐出されて室外側四方切換弁（24）を通過した冷媒は、室外熱交換器（22）で凝縮してから室外側電動膨張弁（23）で減圧され、室内熱交換器（36）で蒸発した後に圧縮機（21）へ吸入されて圧縮される。そして、室外熱交換器（22）で冷媒から吸熱した室外空気が室外へ排出され、室内熱交換器（36）で冷却された室内空気が室内へ送り返される。
【００６７】
冷房除湿運転中において、調湿ユニット（13）は、調湿回路（30）で第１吸着熱交換器（31）が凝縮器となって第２吸着熱交換器（32）が蒸発器となる第１動作と、調湿回路（30）で第２吸着熱交換器（32）が凝縮器となって第１吸着熱交換器（31）が蒸発器となる第２動作とを交互に繰り返す。
【００６８】
第１動作では、第１吸着熱交換器（31）についての再生動作と、第２吸着熱交換器（32）についての吸着動作とが並行して行われる。第１動作中は、図１(Ａ)に示すように、調湿側四方切換弁（34）が第１状態に設定され、調湿側電動膨張弁（33）の開度が適宜調節される。この状態で、圧縮機（21）から吐出されて調湿回路（30）へ流入した冷媒は、第１吸着熱交換器（31）で凝縮してから調湿側電動膨張弁（33）で減圧され、第２吸着熱交換器（32）で蒸発した後に圧縮機（21）へ吸入されて圧縮される。
【００６９】
第１動作中において、第１吸着熱交換器（31）では、冷媒で加熱された吸着材から水分が脱離し、この脱離した水分が空気に付与される。第１吸着熱交換器（31）から脱離した水分は、空気と共に室外へ排出される。一方、第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。
【００７０】
第２動作では、第１吸着熱交換器（31）についての吸着動作と、第２吸着熱交換器（32）についての再生動作とが並行して行われる。第２動作中は、図１(Ｂ)に示すように、調湿側四方切換弁（34）が第２状態に設定され、調湿側電動膨張弁（33）の開度が適宜調節される。この状態で、圧縮機（21）から吐出されて調湿回路（30）へ流入した冷媒は、第２吸着熱交換器（32）で凝縮してから調湿側電動膨張弁（33）で減圧され、第１吸着熱交換器（31）で蒸発した後に圧縮機（21）へ吸入されて圧縮される。
【００７１】
第２動作中において、第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。一方、第２吸着熱交換器（32）では、冷媒で加熱された吸着材から水分が脱離し、この脱離した水分が空気に付与される。第２吸着熱交換器（32）から脱離した水分は、空気と共に室外へ排出される。
【００７２】
〈暖房加湿運転〉
図２に示すように、暖房加湿運転中には、室外側四方切換弁（24）が第２状態に設定されると共に室外側電動膨張弁（23）の開度が適宜調節される。この状態において、冷媒回路（15）では、室内熱交換器（36）が凝縮器となって室外熱交換器（22）が蒸発器となる。つまり、圧縮機（21）から吐出されて室外側四方切換弁（24）を通過した冷媒は、室内熱交換器（36）で凝縮してから室外側電動膨張弁（23）で減圧され、室外熱交換器（22）で蒸発した後に圧縮機（21）へ吸入されて圧縮される。そして、室外熱交換器（22）で冷媒へ放熱した室外空気が室外へ排出され、室内熱交換器（36）で加熱された室内空気が室内へ送り返される。
【００７３】
暖房加湿運転中において、調湿ユニット（13）は、調湿回路（30）で第１吸着熱交換器（31）が凝縮器となって第２吸着熱交換器（32）が蒸発器となる第１動作と、調湿回路（30）で第２吸着熱交換器（32）が凝縮器となって第１吸着熱交換器（31）が蒸発器となる第２動作とを交互に繰り返す。
【００７４】
第１動作では、第１吸着熱交換器（31）についての再生動作と、第２吸着熱交換器（32）についての吸着動作とが並行して行われる。第１動作中は、図２(Ａ)に示すように、調湿側四方切換弁（34）が第１状態に設定され、調湿側電動膨張弁（33）の開度が適宜調節される。この状態で、圧縮機（21）から吐出されて調湿回路（30）へ流入した冷媒は、第１吸着熱交換器（31）で凝縮してから調湿側電動膨張弁（33）で減圧され、第２吸着熱交換器（32）で蒸発した後に圧縮機（21）へ吸入されて圧縮される。
【００７５】
第１動作中において、第１吸着熱交換器（31）では、冷媒で加熱された吸着材から水分が脱離し、この脱離した水分が空気に付与される。第１吸着熱交換器（31）で加湿された室内空気は、室内へ送り返される。一方、第２吸着熱交換器（32）では、室内空気中の水分が吸着材に吸着されて室内空気が除湿され、その際に生じた吸着熱が冷媒に吸熱される。第２吸着熱交換器（32）で水分を奪われた室内空気は、室外へ排出される。
【００７６】
第２動作では、第１吸着熱交換器（31）についての吸着動作と、第２吸着熱交換器（32）についての再生動作とが並行して行われる。第２動作中は、図２(Ｂ)に示すように、調湿側四方切換弁（34）が第２状態に設定され、調湿側電動膨張弁（33）の開度が適宜調節される。この状態で、圧縮機（21）から吐出されて調湿回路（30）へ流入した冷媒は、第２吸着熱交換器（32）で凝縮してから調湿側電動膨張弁（33）で減圧され、第１吸着熱交換器（31）で蒸発した後に圧縮機（21）へ吸入されて圧縮される。
【００７７】
第２動作中において、第１吸着熱交換器（31）では、室内空気中の水分が吸着材に吸着されて室内空気が除湿され、その際に生じた吸着熱が冷媒に吸熱される。第１吸着熱交換器（31）で水分を奪われた室内空気は、室外へ排出される。第２吸着熱交換器（32）では、冷媒で加熱された吸着材から水分が脱離し、この脱離した水分が室内空気に付与される。第２吸着熱交換器（32）で加湿された室内空気は、室内へ送り返される。
【００７８】
〈調湿ユニットの運転動作〉
上述のように、上記調湿ユニット（13）は、空気調和装置（10）の冷房除湿運転時には除湿運転を、空気調和装置（10）の暖房加湿運転時には加湿運転をそれぞれ行う。また、この調湿ユニット（13）は、除湿運転と加湿運転のそれぞれおいて、第１動作と第２動作とを交互に繰り返す。
【００７９】
上記調湿ユニット（13）の除湿運転について、図５，図６を参照しながら説明する。除湿運転時において、給気ファン（82）を運転すると、室外空気が外気吸込口（51）からケーシング（50）内へ第１空気として取り込まれる。また、排気ファン（81）を運転すると、室内空気が内気吸込口（53）からケーシング（50）内へ第２空気として取り込まれる。
【００８０】
除湿運転時の第１動作では、上述したように、第１吸着熱交換器（31）が凝縮器となって第２吸着熱交換器（32）が蒸発器となる。そして、調湿ユニット（13）では、第２吸着熱交換器（32）についての吸着動作と、第１吸着熱交換器（31）についての再生動作とが行われる。
【００８１】
この第１動作中には、図５に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００８２】
外気吸込口（51）から右下流路（62）へ流入した第１空気は、第２右下ダンパ（74）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で除湿された第１空気は、第２左上ダンパ（76）を通って左上流路（63）へ流入し、給気側流路（66）を通過後に給気口（52）から室内へ供給される。
【００８３】
内気吸込口（53）から左下流路（64）へ流入した第２空気は、第１左下ダンパ（77）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）から脱離した水分は、第２空気と共に第１右上ダンパ（71）を通って右上流路（61）へ流入し、排気側流路（65）を通過後に排気口（54）から室外へ排出される。
【００８４】
除湿運転時の第２動作では、上述したように、第２吸着熱交換器（32）が凝縮器となって第１吸着熱交換器（31）が蒸発器となる。そして、調湿ユニット（13）では、第１吸着熱交換器（31）についての吸着動作と、第２吸着熱交換器（32）についての再生動作とが行われる。
【００８５】
この第２動作中には、図６に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００８６】
外気吸込口（51）から右下流路（62）へ流入した第１空気は、第１右下ダンパ（73）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で除湿された第１空気は、第１左上ダンパ（75）を通って左上流路（63）へ流入し、給気側流路（66）を通過後に給気口（52）から室内へ供給される。
【００８７】
内気吸込口（53）から左下流路（64）へ流入した第２空気は、第２左下ダンパ（78）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）から脱離した水分は、第２空気と共に第２右上ダンパ（72）を通って右上流路（61）へ流入し、排気側流路（65）を通過後に排気口（54）から室外へ排出される。
【００８８】
上記調湿ユニット（13）の加湿運転について、図７，図８を参照しながら説明する。加湿運転時において、給気ファン（82）を運転すると、室外空気が外気吸込口（51）からケーシング（50）内へ第２空気として取り込まれる。また、排気ファン（81）を運転すると、室内空気が内気吸込口（53）からケーシング（50）内へ第１空気として取り込まれる。
【００８９】
加湿運転時の第１動作では、上述したように、第１吸着熱交換器（31）が凝縮器となって第２吸着熱交換器（32）が蒸発器となる。そして、調湿ユニット（13）では、第２吸着熱交換器（32）についての吸着動作と、第１吸着熱交換器（31）についての再生動作とが行われる。
【００９０】
この第１動作中には、図７に示すように、第１右下ダンパ（73）及び第２右上ダンパ（72）が開状態となり、第１右上ダンパ（71）及び第２右下ダンパ（74）が閉状態となる。また、第１左上ダンパ（75）及び第２左下ダンパ（78）が開状態となり、第１左下ダンパ（77）及び第２左上ダンパ（76）が閉状態となる。
【００９１】
内気吸込口（53）から左下流路（64）へ流入した第１空気は、第２左下ダンパ（78）を通って第２吸着熱交換器（32）の下側へ流入し、第２吸着熱交換器（32）を下から上へ向かって通過する。第２吸着熱交換器（32）では、第１空気中の水分が吸着材に吸着されて第１空気が除湿され、その際に生じた吸着熱が冷媒に吸熱される。第２吸着熱交換器（32）で水分を奪われた第１空気は、第２右上ダンパ（72）を通って右上流路（61）へ流入し、排気側流路（65）を通過後に排気口（54）から室外へ排出される。
【００９２】
外気吸込口（51）から右下流路（62）へ流入した第２空気は、第１右下ダンパ（73）を通って第１吸着熱交換器（31）の下側へ流入し、第１吸着熱交換器（31）を下から上へ向かって通過する。第１吸着熱交換器（31）では、冷媒で加熱された吸着材から水分が脱離し、この脱離した水分が第２空気に付与される。第１吸着熱交換器（31）で加湿された第２空気は、第１左上ダンパ（75）を通って左上流路（63）へ流入し、給気側流路（66）を通過後に給気口（52）から室内へ供給される。
【００９３】
加湿運転時の第２動作では、上述したように、第２吸着熱交換器（32）が凝縮器となって第１吸着熱交換器（31）が蒸発器となる。そして、調湿ユニット（13）では、第１吸着熱交換器（31）についての吸着動作と、第２吸着熱交換器（32）についての再生動作とが行われる。
【００９４】
この第２動作中には、図８に示すように、第１右上ダンパ（71）及び第２右下ダンパ（74）が開状態となり、第１右下ダンパ（73）及び第２右上ダンパ（72）が閉状態となる。また、第１左下ダンパ（77）及び第２左上ダンパ（76）が開状態となり、第１左上ダンパ（75）及び第２左下ダンパ（78）が閉状態となる。
【００９５】
内気吸込口（53）から左下流路（64）へ流入した第１空気は、第１左下ダンパ（77）を通って第１吸着熱交換器（31）の下側へ流入し、第１吸着熱交換器（31）を下から上へ向かって通過する。第１吸着熱交換器（31）では、第１空気中の水分が吸着材に吸着されて第１空気が除湿され、その際に生じた吸着熱が冷媒に吸熱される。第１吸着熱交換器（31）で水分を奪われた第１空気は、第１右上ダンパ（71）を通って右上流路（61）へ流入し、排気側流路（65）を通過後に排気口（54）から室外へ排出される。
【００９６】
外気吸込口（51）から右下流路（62）へ流入した第２空気は、第２右下ダンパ（74）を通って第２吸着熱交換器（32）の下側へ流入し、第２吸着熱交換器（32）を下から上へ向かって通過する。第２吸着熱交換器（32）では、冷媒で加熱された吸着材から水分が脱離し、この脱離した水分が第２空気に付与される。第２吸着熱交換器（32）で加湿された第２空気は、第２左上ダンパ（76）を通って左上流路（63）へ流入し、給気側流路（66）を通過後に給気口（52）から室内へ供給される。
【００９７】
−実施形態１の効果−
本実施形態では、室外ユニット（11）と室内ユニット（12）を接続して構成された冷媒回路（15）に調湿ユニット（13）を接続している。そして、上記調湿ユニット（13）は、従来の調湿装置のようにそれ自身が圧縮機を備えていなくても、室外ユニット（11）の圧縮機（21）から供給された冷媒を利用して空気の湿度調節を行うことが可能である。このように、本実施形態によれば、主に顕熱負荷を処理する温調ユニットと主に潜熱負荷を処理する室内ユニット（12）とが室外ユニット（11）の圧縮機（21）を共用することとなり、室内ユニット（12）だけでなく調湿ユニット（13）をも小型化できる。従って、室内ユニット（12）によって顕熱負荷を、調湿ユニット（13）によって潜熱負荷をそれぞれ確実に処理して快適性を確保でき、しかも屋内側に設置される室内ユニット（12）と調湿ユニット（13）の両方が小型に形成されていて設置自由度の高い空気調和装置（10）を実現できる。
【００９８】
また、本実施形態によれば、冷媒回路（15）に接続された吸着熱交換器（31,32）に吸着材を担持しているため、吸着材を冷媒回路（15）の冷媒によって効率よく加熱し又は冷却することができる。その結果、吸着材と空気の間で授受される水蒸気の量を増大させることができ、調湿ユニット（13）の能力向上あるいは調湿ユニット（13）の小型化を図ることができる。
【００９９】
また、本実施形態の調湿ユニット（13）は、冷媒回路（15）に接続された第１及び第２吸着熱交換器（31,32）の一方が水蒸気を吸着する間に他方が再生されるバッチ式の動作を行うようにしている。従って、本実施形態によれば、調湿ユニット（13）で除湿された第１空気と加湿された第２空気とを連続的に生成し、得られた第１空気又は第２空気を継続して室内へ供給することが可能となる。
【０１００】
また、本実施形態の調湿ユニット（13）では、第１及び第２吸着熱交換器（31,32）のうち第１空気を除湿する方が蒸発器となって第２空気を加湿する方が凝縮器となる。このため、蒸発器となっている吸着熱交換器（31,32）では、冷媒回路（15）の冷媒によって吸着材が冷却され、吸着材に対する空気中の水蒸気の吸着が促進される。また、凝縮器となっている吸着熱交換器（31,32）では、冷媒回路（15）の冷媒によって吸着材が加熱され、吸着材からの水蒸気の脱離が促進される。従って、この発明によれば、吸着材への水蒸気の吸着と吸着材からの水蒸気の脱離との両方を促進でき、調湿ユニット（13）の能力向上あるいは調湿ユニット（13）の小型化を図ることができる。
【０１０１】
また、本実施形態の空気調和装置（10）では、冷媒回路（15）における圧縮機（21）と室外側四方切換弁（24）の間に調湿ユニット（13）が接続されており、室外ユニット（11）と調湿ユニット（13）の間を行き来する冷媒の流通方向は室外側四方切換弁（24）の状態に関係なく一定となる。従って、本実施形態によれば、調湿ユニット（13）の運転制御において室外側四方切換弁（24）の状態を考慮する必要が無くなり、調湿ユニット（13）の運転制御を簡素化できる。
【０１０２】
−実施形態１の変形例１−
上記空気調和装置（10）では、冷房除湿運転と暖房加湿運転に加えて、冷房加湿運転や暖房除湿運転を行うようにしてもよい。
【０１０３】
図９に示すように、冷房加湿運転中には、室内ユニット（12）で冷房運転が行われ、調湿ユニット（13）で加湿運転が行われる。
【０１０４】
具体的に、冷媒回路（15）では、室外側四方切換弁（24）が第１状態に設定され、室外熱交換器（22）が凝縮器となって室内熱交換器（36）が蒸発器となる。そして、室内ユニット（12）は、室内熱交換器（36）で冷却された空気を室内へ供給する。
【０１０５】
一方、調湿ユニット（13）では、第１動作と第２動作が交互に繰り返される。第１動作中には、図９(Ａ)に示すように、調湿側四方切換弁（34）が第１状態に設定され、第１吸着熱交換器（31）についての再生動作と、第２吸着熱交換器（32）についての吸着動作とが並行して行われる。そして、調湿ユニット（13）は、第１吸着熱交換器（31）で加湿された第２空気を室内へ供給し、第２吸着熱交換器（32）で水分を奪われた第１空気を室外へ排出する。第２動作中には、図９(Ｂ)に示すように、調湿側四方切換弁（34）が第２状態に設定され、第１吸着熱交換器（31）についての吸着動作と、第２吸着熱交換器（32）についての再生動作とが並行して行われる。そして、調湿ユニット（13）は、第２吸着熱交換器（32）で加湿された第２空気を室内へ供給し、第１吸着熱交換器（31）で水分を奪われた第１空気を室外へ排出する。
【０１０６】
図１０に示すように、暖房除湿運転中には、室内ユニット（12）で暖房運転が行われ、調湿ユニット（13）で除湿運転が行われる。
【０１０７】
具体的に、冷媒回路（15）では、室外側四方切換弁（24）が第２状態に設定され、室内熱交換器（36）が凝縮器となって室外熱交換器（22）が蒸発器となる。そして、室内ユニット（12）は、室内熱交換器（36）で加熱された空気を室内へ供給する。
【０１０８】
一方、調湿ユニット（13）では、第１動作と第２動作が交互に繰り返される。第１動作中には、図１０(Ａ)に示すように、調湿側四方切換弁（34）が第１状態に設定され、第１吸着熱交換器（31）についての再生動作と、第２吸着熱交換器（32）についての吸着動作とが並行して行われる。そして、調湿ユニット（13）は、第２吸着熱交換器（32）で除湿された第１空気を室内へ供給し、第１吸着熱交換器（31）から水分を付与された第２空気を室外へ排出する。第２動作中には、図１０(Ｂ)に示すように、調湿側四方切換弁（34）が第２状態に設定され、第１吸着熱交換器（31）についての吸着動作と、第２吸着熱交換器（32）についての再生動作とが並行して行われる。そして、調湿ユニット（13）は、第１吸着熱交換器（31）で除湿された第１空気を室内へ供給し、第２吸着熱交換器（32）から水分を付与された第２空気を室外へ排出する。
【０１０９】
このように、上記空気調和装置（10）は、室内ユニット（12）で冷房運転を行う状態において、調湿ユニット（13）で除湿運転と加湿運転のどちらも行うこともできる。また、この空気調和装置（10）は、室内ユニット（12）で暖房運転を行う状態において、調湿ユニット（13）で除湿運転と加湿運転のどちらも行うこともできる。つまり、上記空気調和装置（10）は、室内ユニット（12）における冷房運転と暖房運転の切り換えと、調湿ユニット（13）における除湿運転と加湿運転の切り換えとを独立して行うことが可能である。
【０１１０】
−実施形態１の変形例２−
上記調湿ユニット（13）の除湿運転では、室外空気を第１空気として取り込んで室内へ供給すると共に、室内空気を第２空気として取り込んで室外へ排出し、除湿した第１空気を室内へ供給すると同時に室内の換気も行っている。
【０１１１】
これに対し、上記調湿ユニット（13）の除湿運転では、室内の換気は行わずに除湿した第１空気の供給だけを行うようにしてもよい。この除湿運転時において、給気ファン（82）を運転すると、室内空気が内気吸込口（53）からケーシング（50）内へ第１空気として取り込まれる。また、排気ファン（81）を運転すると、室外空気が外気吸込口（51）からケーシング（50）内へ第２空気として取り込まれる。この除湿運転中においても、調湿ユニット（13）では第１動作と第２動作が交互に繰り返される。
【０１１２】
第１動作では、図１１に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第１動作中には、第１吸着熱交換器（31）が凝縮器となって第２吸着熱交換器（32）が蒸発器となる。
【０１１３】
内気吸込口（53）から左下流路（64）へ流入した第１空気は、第２左下ダンパ（78）を通って第２吸着熱交換器（32）へ流入し、この第２吸着熱交換器（32）を通過する間に除湿される。除湿された第１空気は、第２左上ダンパ（76）を通って左上流路（63）へ流入し、給気側流路（66）を通過後に給気口（52）から室内へ供給される。
【０１１４】
外気吸込口（51）から右下流路（62）へ流入した第２空気は、第１右下ダンパ（73）を通って第１吸着熱交換器（31）へ流入し、この第１吸着熱交換器（31）から脱離した水分を付与される。水分を付与された第２空気は、第１右上ダンパ（71）を通って右上流路（61）へ流入し、排気側流路（65）を通過後に排気口（54）から室外へ排出される。
【０１１５】
第２動作では、図１２に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第２動作中には、第２吸着熱交換器（32）が凝縮器となって第１吸着熱交換器（31）が蒸発器となる。
【０１１６】
内気吸込口（53）から左下流路（64）へ流入した第１空気は、第１左下ダンパ（77）を通って第１吸着熱交換器（31）へ流入し、この第１吸着熱交換器（31）を通過する間に除湿される。除湿された第１空気は、第１左上ダンパ（75）を通って左上流路（63）へ流入し、給気側流路（66）を通過後に給気口（52）から室内へ供給される。
【０１１７】
外気吸込口（51）から右下流路（62）へ流入した第２空気は、第２右下ダンパ（74）を通って第２吸着熱交換器（32）へ流入し、この第２吸着熱交換器（32）から脱離した水分を付与される。水分を付与された第２空気は、第２右上ダンパ（72）を通って右上流路（61）へ流入し、排気側流路（65）を通過後に排気口（54）から室外へ排出される。
【０１１８】
−実施形態１の変形例３−
上記調湿ユニット（13）の加湿運転では、室外空気を第２空気として取り込んで室内へ供給すると共に、室内空気を第１空気として取り込んで室外へ排出し、加湿した第２空気を室内へ供給すると同時に室内の換気も行っている。
【０１１９】
これに対し、上記調湿ユニット（13）の加湿運転では、室内の換気は行わずに加湿した第２空気の供給だけを行うようにしてもよい。この加湿運転時において、給気ファン（82）を運転すると、室内空気が内気吸込口（53）からケーシング（50）内へ第２空気として取り込まれる。また、排気ファン（81）を運転すると、室外空気が外気吸込口（51）からケーシング（50）内へ第１空気として取り込まれる。この加湿運転中においても、調湿ユニット（13）では第１動作と第２動作が交互に繰り返される。
【０１２０】
第１動作では、図１３に示すように、第２右上ダンパ（72）及び第２右下ダンパ（74）が開状態となり、第１右上ダンパ（71）及び第１右下ダンパ（73）が閉状態となる。また、第１左上ダンパ（75）及び第１左下ダンパ（77）が開状態となり、第２左上ダンパ（76）及び第２左下ダンパ（78）が閉状態となる。また、第１動作中には、第１吸着熱交換器（31）が凝縮器となって第２吸着熱交換器（32）が蒸発器となる。
【０１２１】
外気吸込口（51）から右下流路（62）へ流入した第１空気は、第２右下ダンパ（74）を通って第２吸着熱交換器（32）へ流入し、この第２吸着熱交換器（32）を通過する間に水分を奪われる。水分を奪われた第１空気は、第２右上ダンパ（72）を通って右上流路（61）へ流入し、排気側流路（65）を通過後に排気口（54）から室外へ排出される。
【０１２２】
内気吸込口（53）から左下流路（64）へ流入した第２空気は、第１左下ダンパ（77）を通って第１吸着熱交換器（31）へ流入し、この第１吸着熱交換器（31）を通過する間に加湿される。加湿された第２空気は、第１左上ダンパ（75）を通って左上流路（63）へ流入し、給気側流路（66）を通過後に給気口（52）から室内へ供給される。
【０１２３】
第２動作では、図１４に示すように、第１右上ダンパ（71）及び第１右下ダンパ（73）が開状態となり、第２右上ダンパ（72）及び第２右下ダンパ（74）が閉状態となる。また、第２左上ダンパ（76）及び第２左下ダンパ（78）が開状態となり、第１左上ダンパ（75）及び第１左下ダンパ（77）が閉状態となる。また、第２動作中には、第２吸着熱交換器（32）が凝縮器となって第１吸着熱交換器（31）が蒸発器となる。
【０１２４】
外気吸込口（51）から右下流路（62）へ流入した第１空気は、第１右下ダンパ（73）を通って第１吸着熱交換器（31）へ流入し、この第１吸着熱交換器（31）を通過する間に水分を奪われる。水分を奪われた第１空気は、第１右上ダンパ（71）を通って右上流路（61）へ流入し、排気側流路（65）を通過後に排気口（54）から室外へ排出される。
【０１２５】
内気吸込口（53）から左下流路（64）へ流入した第２空気は、第２左下ダンパ（78）を通って第２吸着熱交換器（32）へ流入し、この第２吸着熱交換器（32）を通過する間に加湿される。加湿された第２空気は、第２左上ダンパ（76）を通って左上流路（63）へ流入し、給気側流路（66）を通過後に給気口（52）から室内へ供給される。
【０１２６】
−実施形態１の変形例４−
上記調湿ユニット（13）では、室外から室内への給気だけを行う運転を除湿運転や加湿運転として行うようにしてもよい。
【０１２７】
給気のみを行う除湿運転と加湿運転のそれぞれにおいて、給気ファン（82）及び排気ファン（81）を運転すると、室外空気だけが外気吸込口（51）からケーシング（50）内へ取り込まれる。また、給気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１２８】
先ず、給気のみを行う除湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、調湿ユニット（13）は、２つの吸着熱交換器（31,32）のうち蒸発器となっている方で除湿された第１空気を室内へ供給し、凝縮器となっている方で加湿された第２空気を室外へ排出する。
【０１２９】
例えば、この除湿運転の第２動作では、図１５に示すように、第２右上ダンパ（72）、第１右下ダンパ（73）及び第２右下ダンパ（74）が開状態となり、第１右上ダンパ（71）が閉状態となる。また、第１左上ダンパ（75）が開状態となり、第２左上ダンパ（76）、第１左下ダンパ（77）及び第２左下ダンパ（78）が閉状態となる。ケーシング（50）内において、第１空気は、第１右下ダンパ（73）、第１吸着熱交換器（31）、第１左上ダンパ（75）の順に流れ、給気口（52）から室内へ供給される。一方、第２空気は、第２右下ダンパ（74）、第２吸着熱交換器（32）、第２右上ダンパ（72）の順に流れ、排気口（54）から室外へ排出される。
【０１３０】
次に、給気のみを行う加湿運転について説明する。ケーシング（50）内へ取り込まれた室外空気は、その一部が第１空気として蒸発器となっている吸着熱交換器（31,32）へ、残りが第２空気として凝縮器となっている吸着熱交換器（31,32）へそれぞれ導入される。そして、調湿ユニット（13）は、２つの吸着熱交換器（31,32）のうち蒸発器となっている方で除湿された第１空気を室外へ排出し、凝縮器となっている方で加湿された第２空気を室内へ供給する。
【０１３１】
例えば、この加湿運転の第２動作では、図１６に示すように、第１右上ダンパ（71）、第１右下ダンパ（73）及び第２右下ダンパ（74）が開状態となり、第２右上ダンパ（72）が閉状態となる。また、第２左上ダンパ（76）が開状態となり、第１左上ダンパ（75）、第１左下ダンパ（77）及び第２左下ダンパ（78）が閉状態となる。ケーシング（50）内において、第１空気は、第１右下ダンパ（73）、第１吸着熱交換器（31）、第１右上ダンパ（71）の順に流れ、排気口（54）から室外へ排出される。一方、第２空気は、第２右下ダンパ（74）、第２吸着熱交換器（32）、第２左上ダンパ（76）の順に流れ、給気口（52）から室内へ供給される。
【０１３２】
−実施形態１の変形例５−
上記調湿ユニット（13）では、室内から室外への排気だけを行う運転を除湿運転や加湿運転として行うようにしてもよい。
【０１３３】
排気のみを行う除湿運転と加湿運転のそれぞれにおいて、給気ファン（82）及び排気ファン（81）を運転すると、室内空気だけが内気吸込口（53）からケーシング（50）内へ取り込まれる。また、排気のみを行う除湿運転と加湿運転のそれぞれにおいて、第１吸着熱交換器（31）が凝縮器となって第２吸着熱交換器（32）が蒸発器となる第１動作と、第２吸着熱交換器（32）が凝縮器となって第１吸着熱交換器（31）が蒸発器となる第２動作とが交互に繰り返される。
【０１３４】
先ず、排気のみを行う除湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、調湿ユニット（13）は、２つの吸着熱交換器（31,32）のうち蒸発器となっている方で除湿された第１空気を室内へ供給し、凝縮器となっている方で加湿された第２空気を室外へ排出する。
【０１３５】
例えば、この除湿運転の第２動作では、図１７に示すように、第２右上ダンパ（72）が開状態となり、第１右上ダンパ（71）、第１右下ダンパ（73）及び第２右下ダンパ（74）が閉状態となる。また、第１左上ダンパ（75）、第１左下ダンパ（77）及び第２左下ダンパ（78）が開状態となり、第２左上ダンパ（76）が閉状態となる。ケーシング（50）内において、第１空気は、第１左下ダンパ（77）、第１吸着熱交換器（31）、第１左上ダンパ（75）の順に流れ、給気口（52）から室内へ供給される。一方、第２空気は、第２左下ダンパ（78）、第２吸着熱交換器（32）、第２右上ダンパ（72）の順に流れ、排気口（54）から室外へ排出される。
【０１３６】
次に、排気のみを行う加湿運転について説明する。ケーシング（50）内へ取り込まれた室内空気は、その一部が第１空気として蒸発器となっている吸着熱交換器（31,32）へ、残りが第２空気として凝縮器となっている吸着熱交換器（31,32）へそれぞれ導入される。そして、調湿ユニット（13）は、２つの吸着熱交換器（31,32）のうち蒸発器となっている方で除湿された第１空気を室外へ排出し、凝縮器となっている方で加湿された第２空気を室内へ供給する。
【０１３７】
例えば、この加湿運転の第２動作では、図１８に示すように、第１右上ダンパ（71）が開状態となり、第２右上ダンパ（72）、第１右下ダンパ（73）及び第２右下ダンパ（74）が閉状態となる。また、第２左上ダンパ（76）、第１左下ダンパ（77）及び第２左下ダンパ（78）が開状態となり、第１左上ダンパ（75）が閉状態となる。ケーシング（50）内において、第１空気は、第１左下ダンパ（77）、第１吸着熱交換器（31）、第１右上ダンパ（71）の順に流れ、排気口（54）から室外へ排出される。一方、第２空気は、第２左下ダンパ（78）、第２吸着熱交換器（32）、第２左上ダンパ（76）の順に流れ、給気口（52）から室内へ供給される。
【０１３８】
−実施形態１の変形例６−
上述のように、上記調湿ユニット（13）では、除湿運転中や加湿運転中に室外から室内への給気と室内から室外への排気を行うようにしている。その際、室内への給気量と室内からの排気量は原則的に等しく設定されるが、両者を異なる値に設定してもよい。例えば、隙間風などによって室内へ外気が侵入するのを防止したい場合は、室内が陽圧となるように給気量を排気量よりも大きな値に設定する。また、室内空気が室外へ漏れ出すのを防止したい場合は、室内が陰圧となるように排気量を給気量よりも大きな値に設定する。
【０１３９】
また、上記調湿ユニット（13）では、調湿側電動膨張弁（33）を全閉して調湿回路（30）における冷媒の流通を遮断し、その状態で給気ファン（82）と排気ファン（81）とを運転して換気だけを行う単純換気運転を行ってもよい。例えば、春期や秋期のような中間期には室内の湿度調節が不要な場合もあるが、室内の換気は１年を通じて必要である。そこで、このような湿度調節が不要な時期には、単純換気運転を行うことで空気調和装置（10）の消費電力を抑制できる。
【０１４０】
また、上記調湿ユニット（13）では、湿度は調節せずに温度だけを調節した空気を室内へ供給する空調運転を行ってもよい。この調湿ユニット（13）の空調運転中には、調湿側四方切換弁（34）が第１状態又は第２状態の一方に固定される。そして、２つの吸着熱交換器（31,32）のうち蒸発器となっている方を通過した空気が室内へ、凝縮器となっている方を通過した空気が室外へそれぞれ送られるように各ダンパ（71〜78）の開閉状態を設定すれば、吸着熱交換器（31,32）で冷却された空気が室内へ供給されて冷房が行われる。逆に、２つの吸着熱交換器（31,32）のうち凝縮器となっている方を通過した空気が室内へ、蒸発器となっている方を通過した空気が室外へそれぞれ送られるように各ダンパ（71〜78）の開閉状態を設定すれば、吸着熱交換器（31,32）で加熱された空気が室内へ供給されて暖房が行われる。この場合、空気調和装置（10）では、室内ユニット（12）と調湿ユニット（13）の両方で顕熱負荷を処理することが可能となる。従って、このような運転を空気調和装置（10）の起動直後に行えば、室内の気温を速やかに設定値に近付けることができ、起動から充分な快適性が得られるまでの時間を短縮できる。
【０１４１】
また、上記空気調和装置（10）では、室内ユニット（12）と調湿ユニット（13）の一方だけを運転してもよい。室内ユニット（12）を運転して調湿ユニット（13）を停止させる場合には、調湿側電動膨張弁（33）を全閉して調湿回路（30）での冷媒の流通を遮断する。逆に、室内ユニット（12）を停止させて調湿ユニット（13）を運転する場合には、室外側電動膨張弁（23）を全閉して室内回路（35）での冷媒の流通を遮断する。
【０１４２】
《発明の実施形態２》
本発明の実施形態２について説明する。本実施形態は、上記実施形態１の空気調和装置（10）において、室外回路（20）と調湿回路（30）の構成を変更したものである。また、本実施形態の空気調和装置（10）では、室外回路（20）と調湿回路（30）の構成変更に伴って冷媒回路（15）の構成も上記実施形態１のものと相違している。ここでは、上記空気調和装置（10）について、上記実施形態１と異なる点を説明する。
【０１４３】
図１９に示すように、本実施形態の室外回路（20）は、上記実施形態１の室外回路（20）から第３閉鎖弁（27）及び第４閉鎖弁（28）を省略したものであり、この点を除けば上記実施形態１の室外回路（20）と同様に構成されている。
【０１４４】
本実施形態の調湿回路（30）には、第１吸着熱交換器（31）、第２吸着熱交換器（32）、第１電磁弁（41）及び第２電磁弁（42）が設けられている。各吸着熱交換器（31,32）の構成は、上記実施形態１のものと同様である。この調湿回路（30）では、第１吸着熱交換器（31）と第２吸着熱交換器（32）が互いに並列接続されている。また、第１電磁弁（41）は第１吸着熱交換器（31）の一端側に、第２電磁弁（42）は第２吸着熱交換器（32）の一端側にそれぞれ配置されている。第１電磁弁（41）を開閉すると第１吸着熱交換器（31）への冷媒流入が断続し、第２電磁弁（42）を開閉すると第２吸着熱交換器（32）への冷媒流入が断続する。
【０１４５】
本実施形態の冷媒回路（15）において、調湿回路（30）は、その一端が室外回路（20）の第２閉鎖弁（26）に接続され、その他端が室内回路（35）の一端に接続されている。また、室内回路（35）の他端は、室外回路（20）の第１閉鎖弁（25）に接続されている。
【０１４６】
−運転動作−
上記空気調和装置（10）は、上記実施形態１のものと同様に、冷房除湿運転と暖房加湿運転とを行うことができる。空気調和装置（10）の冷房除湿運転中には、室内ユニット（12）が冷房運転を行い、調湿ユニット（13）が除湿運転を行う。一方、空気調和装置（10）の暖房加湿運転中には、室内ユニット（12）が暖房運転を行い、調湿ユニット（13）が加湿運転を行う。
【０１４７】
〈冷房除湿運転〉
冷房除湿運転中の動作について説明する。尚、除湿運転中の調湿ユニット（13）において、各ダンパ（71〜78）は、上記実施形態１の場合と同様に動作する。
【０１４８】
図１９に示すように、冷房除湿運転中には、室外側四方切換弁（24）が第１状態に設定されると共に室外側電動膨張弁（23）の開度が適宜調節され、室外熱交換器（22）が凝縮器となって室内熱交換器（36）が蒸発器となる。また、第１吸着熱交換器（31）が蒸発器となって第２吸着熱交換器（32）が休止する第１動作と、第２吸着熱交換器（32）が蒸発器となって第１吸着熱交換器（31）が休止する第２動作とが交互に繰り返される。
【０１４９】
冷房除湿運転中には、室外熱交換器（22）へ室外空気が供給され、室内熱交換器（36）へ室内空気が供給される。調湿ユニット（13）において、第１動作中は、第１吸着熱交換器（31）へ室外空気が、第２吸着熱交換器（32）へ室内空気がそれぞれ供給される。また、第２動作中は、第１吸着熱交換器（31）へ室内空気が、第２吸着熱交換器（32）へ室外空気がそれぞれ供給される。そして、室内熱交換器（36）を通過した空気が室内へ連続的に供給されると共に、第１吸着熱交換器（31）を通過した空気と第２吸着熱交換器（32）を通過した空気とが交互に室内へ供給される。
【０１５０】
第１動作では、第１吸着熱交換器（31）についての吸着動作と、第２吸着熱交換器（32）についての再生動作とが並行して行われる。第１動作中は、図１９(Ａ)に示すように、第１電磁弁（41）が開放され、第２電磁弁（42）が閉鎖される。この状態で、圧縮機（21）から吐出された冷媒は、室外熱交換器（22）で凝縮してから室外側電動膨張弁（23）で減圧され、その後、室内熱交換器（36）と第１吸着熱交換器（31）を順に通過する間に蒸発し、圧縮機（21）へ吸入されて圧縮される。その際、第２吸着熱交換器（32）への冷媒の流入は、第２電磁弁（42）によって遮断される。
【０１５１】
この第１動作中において、室外熱交換器（22）で冷媒から吸熱した室外空気が室外へ排出され、室内熱交換器（36）で冷却された室内空気が室内へ送り返される。第１吸着熱交換器（31）では、室内空気中の水分が吸着材に吸着されて室内空気が除湿され、その際に生じた吸着熱が冷媒に吸熱される。第１吸着熱交換器（31）で除湿された室内空気は、室内へ送り返される。第２吸着熱交換器（32）では、絶対湿度の比較的低い室内空気が吸着材と接触し、該吸着材から水分が脱離する。第２吸着熱交換器（32）から脱離した水分は、空気と共に室外へ排出される。
【０１５２】
第２動作では、第１吸着熱交換器（31）についての再生動作と、第２吸着熱交換器（32）についての吸着動作とが並行して行われる。第２動作中は、図１９(Ｂ)に示すように、第１電磁弁（41）が閉鎖され、第２電磁弁（42）が開放される。この状態で、圧縮機（21）から吐出された冷媒は、室外熱交換器（22）で凝縮してから室外側電動膨張弁（23）で減圧され、その後、室内熱交換器（36）と第２吸着熱交換器（32）を順に通過する間に蒸発し、圧縮機（21）へ吸入されて圧縮される。その際、第１吸着熱交換器（31）への冷媒の流入は、第１電磁弁（41）によって遮断される。
【０１５３】
この第２動作中において、室外熱交換器（22）で冷媒から吸熱した室外空気が室外へ排出され、室内熱交換器（36）で冷却された室内空気が室内へ送り返される。第２吸着熱交換器（32）では、室内空気中の水分が吸着材に吸着されて室内空気が除湿され、その際に生じた吸着熱が冷媒に吸熱される。第２吸着熱交換器（32）で除湿された室内空気は、室内へ送り返される。第１吸着熱交換器（31）では、絶対湿度の比較的低い室内空気が吸着材と接触し、該吸着材から水分が脱離する。第１吸着熱交換器（31）から脱離した水分は、空気と共に室外へ排出される。
【０１５４】
〈暖房加湿運転〉
暖房加湿運転中の動作について説明する。尚、加湿運転中の調湿ユニット（13）において、各ダンパ（71〜78）は、上記実施形態１の場合と同様に動作する。
【０１５５】
図２０に示すように、暖房加湿運転中には、室外側四方切換弁（24）が第２状態に設定されると共に室外側電動膨張弁（23）の開度が適宜調節され、室内熱交換器（36）が凝縮器となって室外熱交換器（22）が蒸発器となる。また、第１吸着熱交換器（31）が凝縮器となって第２吸着熱交換器（32）が休止する第１動作と、第２吸着熱交換器（32）が凝縮器となって第１吸着熱交換器（31）が休止する第２動作とが交互に繰り返される。
【０１５６】
暖房加湿運転中には、室外熱交換器（22）へ室外空気が供給され、室内熱交換器（36）へ室内空気が供給される。調湿ユニット（13）において、第１動作中は、第１吸着熱交換器（31）へ室外空気が、第２吸着熱交換器（32）へ室内空気がそれぞれ供給される。また、第２動作中は、第１吸着熱交換器（31）へ室内空気が、第２吸着熱交換器（32）へ室外空気がそれぞれ供給される。そして、室内熱交換器（36）を通過した空気が室内へ連続的に供給されると共に、第１吸着熱交換器（31）を通過した空気と第２吸着熱交換器（32）を通過した空気とが交互に室内へ供給される。
【０１５７】
第１動作では、第１吸着熱交換器（31）についての再生動作と、第２吸着熱交換器（32）についての吸着動作とが並行して行われる。第１動作中は、図２０(Ａ)に示すように、第１電磁弁（41）が開放され、第２電磁弁（42）が閉鎖される。この状態で、圧縮機（21）から吐出された冷媒は、第１吸着熱交換器（31）と室内熱交換器（36）を順に通過する間に凝縮し、その後、室外側電動膨張弁（23）で減圧されてから室外熱交換器（22）で蒸発し、圧縮機（21）へ吸入されて圧縮される。その際、第２吸着熱交換器（32）への冷媒の流入は、第２電磁弁（42）によって遮断される。
【０１５８】
この第１動作中において、室外熱交換器（22）で冷媒へ放熱した室外空気が室外へ排出され、室内熱交換器（36）で加熱された室内空気が室内へ送り返される。第１吸着熱交換器（31）では、冷媒で加熱された吸着材から水分が脱離し、この脱離した水分が空気に付与される。第１吸着熱交換器（31）で加湿された室内空気は、室内へ送り返される。第２吸着熱交換器（32）では、室内空気が吸着材と接触し、この室内空気中の水分が吸着材に吸着される。第２吸着熱交換器（32）で水分を奪われた室内空気は、室外へ排出される。
【０１５９】
第２動作では、第１吸着熱交換器（31）についての吸着動作と、第２吸着熱交換器（32）についての再生動作とが並行して行われる。第２動作中は、図２０(Ｂ)に示すように、第１電磁弁（41）が閉鎖され、第２電磁弁（42）が開放される。圧縮機（21）から吐出された冷媒は、第２吸着熱交換器（32）と室内熱交換器（36）を順に通過する間に凝縮し、その後、室外側電動膨張弁（23）で減圧されてから室外熱交換器（22）で蒸発し、圧縮機（21）へ吸入されて圧縮される。その際、第１吸着熱交換器（31）への冷媒の流入は、第１電磁弁（41）によって遮断される。
【０１６０】
この第２動作中において、室外熱交換器（22）で冷媒へ放熱した室外空気が室外へ排出され、室内熱交換器（36）で加熱された室内空気が室内へ送り返される。第１吸着熱交換器（31）では、室内空気が吸着材と接触し、この室内空気中の水分が吸着材に吸着される。第１吸着熱交換器（31）で水分を奪われた室内空気は、室外へ排出される。第２吸着熱交換器（32）では、冷媒で加熱された吸着材から水分が脱離し、この脱離した水分が空気に付与される。第２吸着熱交換器（32）で加湿された室内空気は、室内へ送り返される。
【０１６１】
−実施形態２の変形例−
上記空気調和装置（10）では、冷房除湿運転と暖房加湿運転に加えて、冷房加湿運転や暖房除湿運転を行うようにしてもよい。
【０１６２】
冷房加湿運転中の冷媒回路（15）において、冷媒は冷房除湿運転中と同様に流れる。冷房加湿運転中の調湿ユニット（13）において、第１動作中は、第１吸着熱交換器（31）で除湿された室内空気が室外へ排出され、第２吸着熱交換器（32）で加湿された室外空気が室内へ供給される。一方、第２動作中は、第１吸着熱交換器（31）で加湿された室外空気が室内へ供給され、第２吸着熱交換器（32）で除湿された室内空気が室外へ排出される。
【０１６３】
暖房除湿運転中の冷媒回路（15）において、冷媒は暖房加湿運転中と同様に流れる。冷房加湿運転中の調湿ユニット（13）において、第１動作中は、第１吸着熱交換器（31）で加湿された室内空気が室外へ排出され、第２吸着熱交換器（32）で除湿された室外空気が室内へ供給される。一方、第２動作中は、第１吸着熱交換器（31）で除湿された室外空気が室内へ供給され、第２吸着熱交換器（32）で加湿された室内空気が室外へ排出される。
【０１６４】
《発明の実施形態３》
本発明の実施形態３について説明する。本実施形態は、上記実施形態１の空気調和装置（10）において、調湿ユニット（13）の構成を変更したものである。ここでは、本実施形態の調湿ユニット（13）について説明する。尚、その説明において用いる「上」「下」「左」「右」「前」「後」「手前」「奥」は、上記調湿ユニット（13）を正面側から見た場合のものを意味している。
【０１６５】
図２１に示すように、上記調湿ユニット（13）は、高さの低い扁平な直方体状のケーシング（110）を備えている。このケーシング（110）には、２つの吸着素子（181,182）と調湿回路（30）とが収納されている。
【０１６６】
調湿回路（30）には、再生用熱交換器（172）と、第１熱交換器（173）と、第２熱交換器（174）と、膨張弁とが設けられている。尚、図２１において、膨張弁の図示は省略する。この調湿回路（30）では、再生用熱交換器（172）が凝縮器として機能する。また、調湿回路（30）では、第１熱交換器（173）が蒸発器となって第２熱交換器（174）が休止する動作と、第２熱交換器（174）が蒸発器となって第１熱交換器（173）が休止する動作とが切換可能となっている。この調湿回路（30）は、再生用熱交換器（172）側の端部が室外回路（20）の第３閉鎖弁（27）に接続され、第１及び第２熱交換器（173,174）側の端部が室外回路（20）の第４閉鎖弁（28）に接続されている。
【０１６７】
上記吸着素子（181,182）は、やや扁平な直方体状に形成されている。吸着素子（181,182）では、その長手方向へ調湿側通路（185）と冷却側通路（186）とが交互に複数ずつ形成されている。調湿側通路（185）は、吸着素子（181,182）の上下面に開口している。吸着素子（181,182）において、調湿側通路（185）に臨む面には、吸着材が塗布されている。一方、冷却側通路（186）は、吸着素子（181,182）の前後の側面に開口している。吸着素子（181,182）において、冷却側通路（186）を流れる空気は、調湿側通路（185）を流れる空気と熱交換する。
【０１６８】
図２１に示すように、上記ケーシング（110）では、正面側の第１パネル（111）に排気口（114）及び給気口（116）が設けられ、背面側の第２パネル（112）に外気吸込口（113）及び内気吸込口（115）が設けられている。第１パネル（111）では、その右側部分のやや中央寄りに排気口（114）が、その左側部分のやや中央寄りに給気口（116）がそれぞれ開口している。第２パネル（112）では、その右端寄りの下部に外気吸込口（113）が、その左端寄りの下部に内気吸込口（115）がそれぞれ開口している。
【０１６９】
ケーシング（110）の内部は、正面側の空間と背面側の空間とに仕切られている。
【０１７０】
ケーシング（110）内の正面側の空間は、左右に仕切られており、右側の空間が第１空間（141）を、左側の空間が第２空間（142）をそれぞれ構成している。第１空間（141）は、排気口（114）を介して室外に連通しており、その内部に排気ファン（145）と第１熱交換器（173）とが設置されている。第２空間（142）は、給気口（116）を介して室内に連通しており、その内部に給気ファン（146）と第２熱交換器（174）とが設置されている。
【０１７１】
ケーシング（110）内の背面側の空間には、右側仕切板（120）と左側仕切板（130）とが立設されている。この背面側の空間は、右側仕切板（120）及び左側仕切板（130）によって、左右に３つの空間に仕切られている。
【０１７２】
ケーシング（110）の右側板と右側仕切板（120）の間の空間は、上下に仕切られている。この空間は、上側の空間が右上部流路（165）を構成し、下側の空間が右下部流路（166）を構成している。右上部流路（165）は、第１空間（141）及び排気口（114）を介して室外と連通している。右下部流路（166）は、外気吸込口（113）を介して室外と連通している。
【０１７３】
ケーシング（110）の左側板と左側仕切板（130）の間の空間は、上下に仕切られている。この空間は、上側の空間が左上部流路（167）を構成し、下側の空間が左下部流路（168）を構成している。左上部流路（167）は、第２空間（142）及び給気口（116）を介して室内と連通している。左下部流路（168）は、内気吸込口（115）を介して室内と連通している。
【０１７４】
ケーシング（110）内における右側仕切板（120）と左側仕切板（130）の間の空間には、２つの吸着素子（181,182）が設置されている。２つの吸着素子（181,182）は、前後に間隔をおいて並べられている。具体的には、ケーシング（110）の正面寄りに第１吸着素子（181）が配置され、その背面寄りに第２吸着素子（182）が配置されている。各吸着素子（181,182）では、上下の面に調湿側通路（185）が開口し、その前後の面に冷却側通路（186）が開口している。
【０１７５】
また、ケーシング（110）内における右側仕切板（120）と左側仕切板（130）の間の空間は、第１流路（151）、第２流路（152）、第１上部流路（153）、第１下部流路（154）、第２上部流路（155）、第２下部流路（156）及び中央流路（157）に区画されている。
【０１７６】
第１流路（151）は、第１吸着素子（181）の手前側に形成され、第１吸着素子（181）の冷却側通路（186）に連通している。第２流路（152）は、第２吸着素子（182）の奥側に形成され、第２吸着素子（182）の冷却側通路（186）に連通している。
【０１７７】
第１上部流路（153）は、第１吸着素子（181）の上側に形成され、第１吸着素子（181）の調湿側通路（185）に連通している。第１下部流路（154）は、第１吸着素子（181）の下側に形成され、第１吸着素子（181）の調湿側通路（185）に連通している。第２上部流路（155）は、第２吸着素子（182）の上側に形成され、第２吸着素子（182）の調湿側通路（185）に連通している。第２下部流路（156）は、第２吸着素子（182）の下側に形成され、第２吸着素子（182）の調湿側通路（185）に連通している。
【０１７８】
中央流路（157）は、第１吸着素子（181）と第２吸着素子（182）の間に形成され、両吸着素子（181,182）の冷却側通路（186）に連通している。この中央流路（157）には、再生用熱交換器（172）が立設されている。
【０１７９】
中央流路（157）と第１下部流路（154）の間の仕切りには、その下部に第１中央ダンパ（161）が設けられている。第１中央ダンパ（161）は、中央流路（157）と第１下部流路（154）の間を断続する。中央流路（157）と第２下部流路（156）の間の仕切りには、その下部に第２中央ダンパ（162）が設けられている。第２中央ダンパ（162）は、中央流路（157）と第２下部流路（156）の間を断続する。
【０１８０】
右側仕切板（120）には、第１右側ダンパ（121）、第２右側ダンパ（122）、第１右上ダンパ（123）、第１右下ダンパ（124）、第２右上ダンパ（125）、及び第２右下ダンパ（126）が設けられている。
【０１８１】
第１右側ダンパ（121）は、右側仕切板（120）における最も手前側の下部に設けられ、第１流路（151）と右下部流路（166）の間を断続する。第２右側ダンパ（122）は、右側仕切板（120）における最も奥側の下部に設けられ、第２流路（152）と右下部流路（166）の間を断続する。
【０１８２】
第１右上ダンパ（123）は、右側仕切板（120）のうち第１吸着素子（181）に隣接する部分の上部に設けられ、第１上部流路（153）と右上部流路（165）の間を断続する。第１右下ダンパ（124）は、右側仕切板（120）のうち第１吸着素子（181）に隣接する部分の下部に設けられ、第１下部流路（154）と右下部流路（166）の間を断続する。第２右上ダンパ（125）は、右側仕切板（120）のうち第２吸着素子（182）に隣接する部分の上部に設けられ、第２上部流路（155）と右上部流路（165）の間を断続する。第２右下ダンパ（126）は、右側仕切板（120）のうち第２吸着素子（182）に隣接する部分の下部に設けられ、第２下部流路（156）と右下部流路（166）の間を断続する。
【０１８３】
左側仕切板（130）には、第１左側ダンパ（131）、第２左側ダンパ（132）、第１左上ダンパ（133）、第１左下ダンパ（134）、第２左上ダンパ（135）、及び第２左下ダンパ（136）が設けられている。
【０１８４】
第１左側ダンパ（131）は、左側仕切板（130）における手前側の下部に設けられ、第１流路（151）と左下部流路（168）の間を断続する。第２左側ダンパ（132）は、左側仕切板（130）における奥側の下部に設けられ、第２流路（152）と左下部流路（168）の間を断続する。
【０１８５】
第１左上ダンパ（133）は、左側仕切板（130）のうち第１吸着素子（181）に隣接する部分の上部に設けられ、第１上部流路（153）と左上部流路（167）の間を断続する。第１左下ダンパ（134）は、左側仕切板（130）のうち第１吸着素子（181）に隣接する部分の下部に設けられ、第１下部流路（154）と左下部流路（168）の間を断続する。第２左上ダンパ（135）は、左側仕切板（130）のうち第２吸着素子（182）に隣接する部分の上部に設けられ、第２上部流路（155）と左上部流路（167）の間を断続する。第２左下ダンパ（136）は、左側仕切板（130）のうち第２吸着素子（182）に隣接する部分の下部に設けられ、第２下部流路（156）と左下部流路（168）の間を断続する。
【０１８６】
−運転動作−
上記空気調和装置（10）は、上記実施形態１のものと同様に、冷房除湿運転と暖房加湿運転とを行うことができる。空気調和装置（10）の冷房除湿運転中には、室内ユニット（12）が冷房運転を行い、調湿ユニット（13）が除湿運転を行う。一方、空気調和装置（10）の暖房加湿運転中には、室内ユニット（12）が暖房運転を行い、調湿ユニット（13）が加湿運転を行う。
【０１８７】
冷房除湿運転と暖房加湿運転における室外ユニット（11）及び室内ユニット（12）の動作は、上記実施形態１の場合と同様である。ここでは、本実施形態の調湿ユニット（13）における除湿運転と加湿運転について説明する。
【０１８８】
〈除湿運転〉
図２１及び図２２に示すように、除湿運転時において、給気ファン（146）を駆動すると、室外空気（OA）が外気吸込口（113）からケーシング（110）内へ第１空気として取り込まれる。一方、排気ファン（145）を駆動すると、室内空気（RA）が内気吸込口（115）からケーシング（110）内へ第２空気として取り込まれる。また、除湿運転時において、調湿回路（30）では、再生用熱交換器（172）が凝縮器となり、第２熱交換器（174）が蒸発器となる一方、第１熱交換器（173）が休止する。この状態で、調湿ユニット（13）は、第１動作と第２動作を交互に繰り返す。
【０１８９】
除湿運転中の第１動作について、図２１を参照しながら説明する。この第１動作では、第１吸着素子（181）についての吸着動作と、第２吸着素子（182）についての再生動作とが行われる。
【０１９０】
この第１動作において、右側仕切板（120）では、第１右下ダンパ（124）と第２右上ダンパ（125）とが開状態となり、残りのダンパ（121,122,123,126）が閉状態となる。左側仕切板（130）では、第１左側ダンパ（131）と第１左上ダンパ（133）とが開状態となり、残りのダンパ（132,134,135,136）が閉状態となる。第１中央ダンパ（161）は閉状態となり、第２中央ダンパ（162）は開状態となる。
【０１９１】
ケーシング（110）内へ取り込まれた第１空気は、右下部流路（166）から第１右下ダンパ（124）を通って第１下部流路（154）へ流入する。第１下部流路（154）の第１空気は、第１吸着素子（181）の調湿側通路（185）へ流入する。この調湿側通路（185）では、第１空気中の水蒸気が吸着材に吸着される。第１吸着素子（181）で除湿された第１空気は、第１上部流路（153）へ流入し、その後に第１左上ダンパ（133）と左上部流路（167）とを順に通過して第２空間（142）へ流入する。第２空間（142）において、第１空気は、第２熱交換器（174）を通過する間に冷媒と熱交換して冷却される。そして、除湿されて冷却された第１空気は、給気口（116）を通って室内へ供給される。
【０１９２】
一方、ケーシング（110）内へ取り込まれた第２空気は、左下部流路（168）から第１左側ダンパ（131）を通って第１流路（151）へ流入し、その後に第１吸着素子（181）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して更に加熱される。
【０１９３】
加熱された第２空気は、中央流路（157）から第２下部流路（156）へ流入し、その後に第２吸着素子（182）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第２上部流路（155）へ流入し、その後に第２右上ダンパ（125）と右上部流路（165）とを順に通過して第１空間（141）へ流入する。その後、第２空気は、休止中の第１熱交換器（173）を通過し、排気口（114）を通って室外へ排出される。
【０１９４】
除湿運転の第２動作について、図２２を参照しながら説明する。この第２動作では、第２吸着素子（182）についての吸着動作と、第１吸着素子（181）についての再生動作とが行われる。
【０１９５】
この第２動作において、右側仕切板（120）では、第１右上ダンパ（123）と第２右下ダンパ（126）とが開状態となり、残りのダンパ（121,122,124,125）が閉状態となる。左側仕切板（130）では、第２左側ダンパ（132）と第２左上ダンパ（135）とが開状態となり、残りのダンパ（131,133,134,136）が閉状態となる。第１中央ダンパ（161）は開状態となり、第２中央ダンパ（162）は閉状態となる。
【０１９６】
ケーシング（110）内へ取り込まれた第１空気は、右下部流路（166）から第２右下ダンパ（126）を通って第２下部流路（156）へ流入する。第２下部流路（156）の第１空気は、第２吸着素子（182）の調湿側通路（185）へ流入する。この調湿側通路（185）では、第１空気中の水蒸気が吸着材に吸着される。第２吸着素子（182）で除湿された第１空気は、第２上部流路（155）へ流入し、その後に第２左上ダンパ（135）と左上部流路（167）とを順に通過して第２空間（142）へ流入する。第２空間（142）において、第１空気は、第２熱交換器（174）を通過する間に冷媒と熱交換して冷却される。そして、除湿されて冷却された第１空気は、給気口（116）を通って室内へ供給される。
【０１９７】
一方、ケーシング（110）内へ取り込まれた第２空気は、左下部流路（168）から第２左側ダンパ（132）を通って第２流路（152）へ流入し、その後に第２吸着素子（182）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して更に加熱される。
【０１９８】
加熱された第２空気は、中央流路（157）から第１下部流路（154）へ流入し、その後に第１吸着素子（181）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第１上部流路（153）へ流入し、その後に第１右上ダンパ（123）と右上部流路（165）とを順に通過して第１空間（141）へ流入する。その後、第２空気は、休止中の第１熱交換器（173）を通過し、排気口（114）を通って室外へ排出される。
【０１９９】
〈加湿運転〉
図２３及び図２４に示すように、加湿運転時において、給気ファン（146）を駆動すると、室外空気（OA）が外気吸込口（113）からケーシング（110）へ第２空気として取り込まれる。一方、排気ファン（145）を駆動すると、室内空気（RA）が内気吸込口（115）からケーシング（110）内へ第１空気として取り込まれる。また、加湿運転時において、調湿回路（30）では、再生用熱交換器（172）が凝縮器となり、第１熱交換器（173）が蒸発器となる一方、第２熱交換器（174）が休止する。この状態で、調湿ユニット（13）は、第１動作と第２動作を交互に繰り返す。
【０２００】
加湿運転の第１動作について、図２３を参照しながら説明する。この第１動作では、第１吸着素子（181）についての吸着動作と、第２吸着素子（182）についての再生動作とが行われる。
【０２０１】
この第１動作において、右側仕切板（120）では、第１右側ダンパ（121）と第１右上ダンパ（123）とが開状態となり、残りのダンパ（122,124,125,126）が閉状態となる。左側仕切板（130）では、第１左下ダンパ（134）と第２左上ダンパ（135）とが開状態となり、残りのダンパ（131,132,133,136）が閉状態となる。第１中央ダンパ（161）は閉状態となり、第２中央ダンパ（162）は開状態となる。
【０２０２】
ケーシング（110）内へ取り込まれた第１空気は、左下部流路（168）から第１左下ダンパ（134）を通って第１下部流路（154）へ流入する。第１下部流路（154）の第１空気は、第１吸着素子（181）の調湿側通路（185）へ流入する。この調湿側通路（185）では、第１空気中の水蒸気が吸着材に吸着される。第１吸着素子（181）で水分を奪われた第１空気は、第１上部流路（153）へ流入し、その後に第１右上ダンパ（123）と右上部流路（165）とを順に通過して第１空間（141）へ流入する。第１空間（141）において、第１空気は、第１熱交換器（173）を通過する間に冷媒と熱交換して冷却される。そして、水分と熱を奪われた第１空気は、排気口（114）を通って室外へ排出される。
【０２０３】
一方、ケーシング（110）内へ取り込まれた第２空気は、右下部流路（166）から第１右側ダンパ（121）を通って第１流路（151）へ流入し、その後に第１吸着素子（181）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して加熱される。
【０２０４】
加熱された第２空気は、中央流路（157）から第２下部流路（156）へ流入し、その後に第２吸着素子（182）の調湿側通路（185）へ流入する。この調湿側通路（185）では、第２空気によって吸着材が加熱され、吸着材から水蒸気が脱離する。吸着材から脱離した水蒸気は、第２空気に付与される。第２吸着素子（182）で加湿された第２空気は、その後に第２上部流路（155）へ流入し、第２左上ダンパ（135）と左上部流路（167）とを順に通過して第２空間（142）へ流入する。その後、第２空気は、休止中の第２熱交換器（174）を通過し、給気口（116）を通って室内へ供給される。
【０２０５】
加湿運転の第２動作について、図２４を参照しながら説明する。この第２動作では、第２吸着素子（182）についての吸着動作と、第１吸着素子（181）についての再生動作とが行われる。
【０２０６】
この第２動作において、右側仕切板（120）では、第２右側ダンパ（122）と第２右上ダンパ（125）とが開状態となり、残りのダンパ（121,123,124,126）が閉状態となる。左側仕切板（130）では、第１左上ダンパ（133）と第２左下ダンパ（136）とが開状態となり、残りのダンパ（131,132,134,135）が閉状態となる。第１中央ダンパ（161）は開状態となり、第２中央ダンパ（162）は閉状態となる。
【０２０７】
ケーシング（110）内へ取り込まれた第１空気は、左下部流路（168）から第２左下ダンパ（136）を通って第２下部流路（156）へ流入する。第２下部流路（156）の第１空気は、第２吸着素子（182）の調湿側通路（185）へ流入する。この調湿側通路（185）では、第１空気中の水蒸気が吸着材に吸着される。第２吸着素子（182）で水分を奪われた第１空気は、第２上部流路（155）へ流入し、その後に第２右上ダンパ（125）と右上部流路（165）とを順に通過して第１空間（141）へ流入する。第１空間（141）において、第１空気は、第１熱交換器（173）を通過する間に冷媒と熱交換して冷却される。そして、水分と熱を奪われた第１空気は、排気口（114）を通って室外へ排出される。
【０２０８】
一方、ケーシング（110）内へ取り込まれた第２空気は、右下部流路（166）から第２右側ダンパ（122）を通って第２流路（152）へ流入し、その後に第２吸着素子（182）の冷却側通路（186）へ流入する。この冷却側通路（186）を流れる間に、第２空気は、調湿側通路（185）で生じた吸着熱を吸熱する。吸着熱を奪った第２空気は、中央流路（157）へ流入して再生用熱交換器（172）を通過し、その際に冷媒と熱交換して加熱される。
【０２０９】
加熱された第２空気は、中央流路（157）から第１下部流路（154）へ流入し、その後に第１吸着素子（181）の調湿側通路（185）へ流入する。この調湿側通路（185）では、第２空気によって吸着材が加熱され、吸着材から水蒸気が脱離する。吸着材から脱離した水蒸気は、第２空気に付与される。調湿側通路（185）で加湿された第２空気は、第１上部流路（153）へ流入し、その後に第１吸着素子（181）で加湿された第２空気は、第１上部流路（153）へ流入し、その後に第１左上ダンパ（133）と左上部流路（167）とを順に通過して第２空間（142）へ流入する。その後、第２空気は、休止中の第２熱交換器（174）を通過し、給気口（116）を通って室内へ供給される。
【産業上の利用可能性】
【０２１０】
以上説明したように、本発明は、室内の顕熱負荷と潜熱負荷を処理する空気調和装置について有用である。
【図面の簡単な説明】
【０２１１】
【図１】実施形態１における空気調和装置の概略構成と冷房除湿運転時の動作を示す冷媒回路図である。
【図２】実施形態１における空気調和装置の概略構成と暖房加湿運転時の動作を示す冷媒回路図である。
【図３】実施形態１における調湿ユニットの構造を示す斜視図である。
【図４】実施形態１における調湿ユニットの概略構成図である。
【図５】実施形態１における除湿運転の第１動作を示す調湿ユニットの概略構成図である。
【図６】実施形態１における除湿運転の第２動作を示す調湿ユニットの概略構成図である。
【図７】実施形態１における加湿運転の第１動作を示す調湿ユニットの概略構成図である。
【図８】実施形態１における加湿運転の第２動作を示す調湿ユニットの概略構成図である。
【図９】実施形態１の変形例１における冷房加湿運転時の動作を示す冷媒回路図である。
【図１０】実施形態１の変形例１における暖房除湿運転時の動作を示す冷媒回路図である。
【図１１】実施形態１の変形例２における除湿運転の第１動作を示す調湿ユニットの概略構成図である。
【図１２】実施形態１の変形例２における除湿運転の第２動作を示す調湿ユニットの概略構成図である。
【図１３】実施形態１の変形例３における加湿運転の第１動作を示す調湿ユニットの概略構成図である。
【図１４】実施形態１の変形例３における加湿運転の第２動作を示す調湿ユニットの概略構成図である。
【図１５】実施形態１の変形例４における除湿運転の第２動作を示す調湿ユニットの概略構成図である。
【図１６】実施形態１の変形例４における加湿運転の第２動作を示す調湿ユニットの概略構成図である。
【図１７】実施形態１の変形例５における除湿運転の第２動作を示す調湿ユニットの概略構成図である。
【図１８】実施形態１の変形例５における加湿運転の第２動作を示す調湿ユニットの概略構成図である。
【図１９】実施形態２における空気調和装置の概略構成と冷房除湿運転時の動作を示す冷媒回路図である。
【図２０】実施形態２における空気調和装置の概略構成と暖房加湿運転時の動作を示す冷媒回路図である。
【図２１】実施形態３における除湿運転の第１動作を示す調湿ユニットの概略構成図である。
【図２２】実施形態３における除湿運転の第２動作を示す調湿ユニットの概略構成図である。
【図２３】実施形態３における加湿運転の第１動作を示す調湿ユニットの概略構成図である。
【図２４】実施形態３における加湿運転の第２動作を示す調湿ユニットの概略構成図である。
【符号の説明】
【０２１２】
（10）  空気調和装置
（11）  熱源ユニット
（12）  温調ユニット
（13）  調湿ユニット
（15）  冷媒回路
（21）  圧縮機
（22）  室外熱交換器（熱源側熱交換器）
（24）  室外側四方切換弁（四方切換弁）
（31）  第１吸着熱交換器
（32）  第２吸着熱交換器
（36）  室内熱交換器（利用側熱交換器）
（181） 第１吸着素子
（182） 第２吸着素子
（172） 再生用熱交換器
【図１】
2005283064.tif 000003
【図２】
2005283064.tif 000004
【図３】
2005283064.tif 000005
【図４】
2005283064.tif 000006
【図５】
2005283064.tif 000007
【図６】
2005283064.tif 000008
【図７】
2005283064.tif 000009
【図８】
2005283064.tif 000010
【図９】
2005283064.tif 000011
【図１０】
2005283064.tif 000012
【図１１】
2005283064.tif 000013
【図１２】
2005283064.tif 000014
【図１３】
2005283064.tif 000015
【図１４】
2005283064.tif 000016
【図１５】
2005283064.tif 000017
【図１６】
2005283064.tif 000018
【図１７】
2005283064.tif 000019
【図１８】
2005283064.tif 000020
【図１９】
2005283064.tif 000021
【図２０】
2005283064.tif 000022
【図２１】
2005283064.tif 000023
【図２２】
2005283064.tif 000024
【図２３】
2005283064.tif 000025
【図２４】
2005283064.tif 000026